(57)【要約】【課題】本願の実施例は無線通信方法及びデバイスを提供する。端末デバイスがダウンリンク信号を検出することを補助するために、ネットワークデバイスはダウンリンク信号を送信する前にプリアンブル信号を送信することができる。端末デバイスはプリアンブル信号を検出した後にダウンリンク信号を受信し、端末デバイスのダウンリンク信号に対するブラインド検出による複雑度と消費電力が増加するという問題を回避する。【解決手段】該方法は、アンライセンスバンドのキャリアに対してチャネル検出を行うことと、前記チャネル検出に成功した場合、第１時刻から前記キャリアがダウンリンク信号の伝送に適用できることを決定するプリアンブル信号を前記キャリアにおいて送信することと、を含む。【選択図】図２
2021533611.tif 000002
【特許請求の範囲】
【請求項１】
アンライセンスバンドのキャリアに対してチャネル検出を行うことと、
前記チャネル検出に成功した場合、第１時刻から前記キャリアがダウンリンク信号の伝送に適用できることを決定するプリアンブル信号を前記キャリアにおいて送信することと、
を含む、ことを特徴とする無線通信方法。
【請求項２】
前記第１時刻はプリアンブル信号シンボルの形式及び／又は前記チャネル検出に成功した時刻に基づいて決定される時刻である、
ことを特徴とする請求項１に記載の方法。
【請求項３】
前記第１時刻はプリアンブル信号シンボルにおける候補時刻を含む、
ことを特徴とする請求項１又は２に記載の方法。
【請求項４】
前記第１時刻はプリアンブル信号シンボルの開始時刻を含む、
ことを特徴とする請求項１〜３のいずれか１項に記載の方法。
【請求項５】
前記第１時刻は前記チャネル検出に成功した後の最初の前記プリアンブル信号シンボルの開始時刻を含む、
ことを特徴とする請求項４に記載の方法。
【請求項６】
前記第１時刻はプリアンブル信号シンボルにおけるサイクリックプレフィックスＣＰ部の開始時刻又は情報セクション部の開始時刻を含む、
ことを特徴とする請求項１〜５のいずれか１項に記載の方法。
【請求項７】
前記第１時刻は前記チャネル検出に成功した後の最初の前記ＣＰ部の開始時刻又は最初の前記情報セクション部の開始時刻を含む、
ことを特徴とする請求項６に記載の方法。
【請求項８】
プリアンブル信号シンボルは１個の第１ＣＰ部と１個の情報セクション部を含む、
ことを特徴とする請求項１〜７のいずれか１項に記載の方法。
【請求項９】
前記第１時刻は前記プリアンブル信号シンボルにおける前記第１ＣＰ部の開始時刻を含む、
ことを特徴とする請求項８に記載の方法。
【請求項１０】
プリアンブル信号シンボルは１個の第２ＣＰ部とＭ個の情報セクション部を含み、Ｍは２以上の正整数である、
ことを特徴とする請求項１〜７のいずれか１項に記載の方法。
【請求項１１】
前記第１時刻は前記プリアンブル信号シンボル内の前記第２ＣＰ部の開始時刻又は前記Ｍ個の情報セクション部における１つの情報セクション部の開始時刻を含む、
ことを特徴とする請求項１０に記載の方法。
【請求項１２】
前記第１時刻がチャネル検出に成功した時刻でない場合、前記チャネル検出に成功した時刻から前記第１時刻までの間に、プレースホルダ信号を前記キャリアにおいて送信することをさらに含む、
ことを特徴とする請求項１〜１１のいずれか１項に記載の方法。
【請求項１３】
前記第１時刻がチャネル検出に成功した時刻でない場合、前記チャネル検出に成功した時刻から前記第１時刻までの間に、前記プリアンブル信号のＣＰ部を前記キャリアにおいて送信することをさらに含む、
ことを特徴とする請求項１〜１１のいずれか１項に記載の方法。
【請求項１４】
前記第１時刻は前記ダウンリンク信号シンボルの開始時刻を含む、
ことを特徴とする請求項１〜３のいずれか１項に記載の方法。
【請求項１５】
前記プリアンブル信号の送信が完了した後、第２時刻から前記ダウンリンク信号を前記キャリアにおいて送信することをさらに含む、
ことを特徴とする請求項１〜１４のいずれか１項に記載の方法。
【請求項１６】
前記第２時刻はダウンリンク信号シンボルの開始時刻である、
ことを特徴とする請求項１５に記載の方法。
【請求項１７】
プリアンブル信号シンボルは、前記ダウンリンク信号に対応するサブキャリア間隔である第１サブキャリア間隔に対応し、又は、
前記第１サブキャリア間隔は、無線リソース制御ＲＲＣシグナリング、物理層シグナリング、媒体アクセス制御ＭＡＣ層シグナリングのうち少なくとも１つにより指示されるサブキャリア間隔であり、又は、
前記第１サブキャリア間隔は事前に定義されたサブキャリア間隔である、
ことを特徴とする請求項１〜１６のいずれか１項に記載の方法。
【請求項１８】
前記プリアンブル信号を送信する時間の長さはＰ個のプリアンブル信号シンボルの長さ以上であり、又は、
前記プリアンブル信号を送信する時間の長さはＱ個のプリアンブル信号シンボルの情報セクション部の長さ以上であり、
ただし、Ｐは正整数であり、Ｑは２以上の正整数である、
ことを特徴とする請求項１〜１７のいずれか１項に記載の方法。
【請求項１９】
前記プリアンブル信号はＮ種のシーケンスを含み、Ｎは正整数である、
ことを特徴とする請求項１〜１８のいずれか１項に記載の方法。
【請求項２０】
前記プリアンブル信号のサブキャリア間隔は前記ダウンリンク信号のサブキャリア間隔以上であり、又は、
プリアンブル信号シンボルの長さは前記ダウンリンク信号シンボルの長さ以下である、
ことを特徴とする請求項１〜１９のいずれか１項に記載の方法。
【請求項２１】
前記プリアンブル信号のシーケンスは周波数領域において第１帯域幅におけるＭ個の連続的なサブキャリアにマッピングし、前記プリアンブル信号のシーケンス長さはＭであり、Ｍは正整数である、
ことを特徴とする請求項１〜２０のいずれか１項に記載の方法。
【請求項２２】
前記プリアンブル信号のサブキャリア間隔は前記ダウンリンク信号のサブキャリア間隔より大きい、
ことを特徴とする請求項２１に記載の方法。
【請求項２３】
前記プリアンブル信号のシーケンスは周波数領域において第１帯域幅におけるＭ個の離散したサブキャリアにマッピングし、ただし、前記Ｍ個の離散したサブキャリア内の任意の隣接する２つのサブキャリアの間の距離は等しく、前記プリアンブル信号のシーケンス長さはＭであり、Ｍは正整数である、
ことを特徴とする請求項１〜２０のいずれか１項に記載の方法。
【請求項２４】
前記プリアンブル信号のサブキャリア間隔は前記ダウンリンク信号のサブキャリア間隔に等しい、
ことを特徴とする請求項２３に記載の方法。
【請求項２５】
前記Ｍ個のサブキャリアは前記第１帯域幅の全帯域幅、中央帯域幅又は事前に定義された帯域幅を占有する、
ことを特徴とする請求項２１〜２４のいずれか１項に記載の方法。
【請求項２６】
前記第１帯域幅における前記プリアンブル信号のシーケンスがマッピングするサブキャリア以外のその他のサブキャリアにおいて信号をマッピングしない、
ことを特徴とする請求項２１〜２５のいずれか１項に記載の方法。
【請求項２７】
前記プリアンブル信号が少なくとも２つのシーケンスを含む場合、前記少なくとも２つのシーケンスは時間領域において交互に伝送される、
ことを特徴とする請求項１〜２６のいずれか１項に記載の方法。
【請求項２８】
前記プリアンブル信号が少なくとも２つのシーケンスを含む場合、前記少なくとも２つのシーケンスの時間領域における伝送方式は１つのシーケンスの伝送が完了した後に次のシーケンスを伝送することである、
ことを特徴とする請求項１〜２６のいずれか１項に記載の方法。
【請求項２９】
前記プリアンブル信号のシーケンスはプライマリ同期信号ＰＳＳ、セカンダリ同期信号ＳＳＳ及びＺａｄｏｆｆ−Ｃｈｕシーケンスのうち少なくとも１つである、
ことを特徴とする請求項１〜２８のいずれか１項に記載の方法。
【請求項３０】
前記プリアンブル信号のシーケンスはコミュニティパブリック、グループパブリック又は端末デバイス固有のものである、
ことを特徴とする請求項１〜２９のいずれか１項に記載の方法。
【請求項３１】
前記プリアンブル信号は、コミュニティ標識ＩＤ、公衆陸上モバイルネットワークＰＬＭＮ  ＩＤ、送信リクエストＲＴＳ標識、送信クリアＣＴＳ標識、時間領域における前記ダウンリンク信号の位置とチャネル占有時間のうち少なくとも１つの情報を携帯する、
ことを特徴とする請求項１〜３０のいずれか１項に記載の方法。
【請求項３２】
前記チャネル検出が無指向性チャネル検出である場合、前記プリアンブル信号の送信に用いられるアンテナポートは全方向アンテナポート又は指向性アンテナポートであり、
又は、前記チャネル検出が指向性チャネル検出である場合、前記プリアンブル信号の送信に用いられるアンテナポートは前記指向性チャネル検出に対応する方向における指向性アンテナポートである、
ことを特徴とする請求項１〜３１のいずれか１項に記載の方法。
【請求項３３】
前記プリアンブル信号の送信に用いられるアンテナポートは同期信号ブロックＳＳＢの送信に用いられるアンテナポートと同じである、
ことを特徴とする請求項１〜３２のいずれか１項に記載の方法。
【請求項３４】
前記プリアンブル信号と時間領域において前記プリアンブル信号の後に位置するＳＳＢ又はダウンリンク制御チャネルＰＤＣＣＨは擬似コロケーションＱＣＬである、
ことを特徴とする請求項１〜３３のいずれか１項に記載の方法。
【請求項３５】
前記プリアンブル信号の伝送パラメータは、ＲＲＣ、物理ブロードキャストチャネルＰＢＣＨ及び残存最小システム情報ＲＭＳＩのうち１つにより端末デバイスに指示される、
ことを特徴とする請求項１〜３４のいずれか１項に記載の方法。
【請求項３６】
前記プリアンブル信号の伝送パラメータの指示方法は物理ランダムアクセスチャネルＰＲＡＣＨの伝送パラメータの指示方法と同じである、
ことを特徴とする請求項１〜３５のいずれか１項に記載の方法。
【請求項３７】
アンライセンスバンドのキャリアにおいてプリアンブル信号を検出することと、
プリアンブル信号の検出に成功した場合、前記キャリアにおいてダウンリンク信号を受信することと、
を含む、ことを特徴とする無線通信方法。
【請求項３８】
前述のアンライセンスバンドのキャリアにおいてプリアンブル信号を検出することは、
第１時刻から前記アンライセンスバンドのキャリアにおいてプリアンブル信号を検出することを含む、
ことを特徴とする請求項３７に記載の方法。
【請求項３９】
前記第１時刻はプリアンブル信号シンボルの形式により決定される時刻である、
ことを特徴とする請求項３８に記載の方法。
【請求項４０】
前記第１時刻はプリアンブル信号シンボル内の候補時刻を含む、
ことを特徴とする請求項３８又は３９に記載の方法。
【請求項４１】
前記第１時刻はプリアンブル信号シンボルの開始時刻を含む、
ことを特徴とする請求項３８〜４０のいずれか１項に記載の方法。
【請求項４２】
前記第１時刻はプリアンブル信号シンボル内のサイクリックプレフィックスＣＰ部の開始時刻又は情報セクション部の開始時刻を含む、
ことを特徴とする請求項３８〜４１のいずれか１項に記載の方法。
【請求項４３】
プリアンブル信号シンボルは１個の第１ＣＰ部と１個の情報セクション部を含む、
ことを特徴とする請求項３８〜４２のいずれか１項に記載の方法。
【請求項４４】
前記第１時刻はプリアンブル信号シンボル内の前記第１ＣＰ部の開始時刻を含む、
ことを特徴とする請求項４３に記載の方法。
【請求項４５】
プリアンブル信号シンボルは１個の第２ＣＰ部とＭ個の情報セクション部を含み、ただし、Ｍは２以上の正整数である、
ことを特徴とする請求項３８〜４４のいずれか１項に記載の方法。
【請求項４６】
前記第１時刻はプリアンブル信号シンボル内の前記第２ＣＰ部の開始時刻又は前記Ｍ個の情報セクション部における１つの情報セクション部の開始時刻を含む、
ことを特徴とする請求項４５に記載の方法。
【請求項４７】
前記第１時刻は前記ダウンリンク信号シンボルの開始時刻を含む、
ことを特徴とする請求項３８〜４０のいずれか１項に記載の方法。
【請求項４８】
前述のアンライセンスバンドのキャリアにおいてプリアンブル信号を検出することは、
前記アンライセンスバンドのキャリアにおいてスライディングウィンドウ検出の方法を用いてプリアンブル信号を検出することを含む、
ことを特徴とする請求項３７に記載の方法。
【請求項４９】
前記スライディングウィンドウ検出プロセスにおいて毎回処理する時間の長さはプリアンブル信号シンボル内の１つの情報セクション部の長さである、
ことを特徴とする請求項４８に記載の方法。
【請求項５０】
前述のプリアンブル信号の検出に成功した場合、前記キャリアにおいてダウンリンク信号を受信することは、
前記プリアンブル信号の検出に成功した後、第２時刻から前記キャリアにおいてダウンリンク信号を受信することを含む、
ことを特徴とする請求項３７〜４９のいずれか１項に記載の方法。
【請求項５１】
前記第２時刻はダウンリンク信号シンボルの開始時刻である、
ことを特徴とする請求項５０に記載の方法。
【請求項５２】
プリアンブル信号シンボルは、前記ダウンリンク信号に対応するサブキャリア間隔である第１サブキャリア間隔に対応し、又は、
前記第１サブキャリア間隔は、無線リソース制御ＲＲＣシグナリング、物理層シグナリング、媒体アクセス制御ＭＡＣ層シグナリングのうち少なくとも１つにより指示されるサブキャリア間隔であり、又は、
前記第１サブキャリア間隔は事前に定義されたサブキャリア間隔である、
ことを特徴とする請求項３７〜５１のいずれか１項に記載の方法。
【請求項５３】
前記プリアンブル信号を検出する時間の長さはＰ個のプリアンブル信号シンボルの長さ以上であり、又は、
前記プリアンブル信号を検出する時間の長さはＱ個のプリアンブル信号シンボルの情報セクション部の長さ以上であり、
ただし、Ｐは正整数であり、Ｑは２以上の正整数である、
ことを特徴とする請求項３７〜５２のいずれか１項に記載の方法。
【請求項５４】
前記プリアンブル信号はＮ種のシーケンスを含み、Ｎは正整数である、
ことを特徴とする請求項３７〜５３のいずれか１項に記載の方法。
【請求項５５】
前記プリアンブル信号のサブキャリア間隔は前記ダウンリンク信号のサブキャリア間隔以上であり、又は、
プリアンブル信号シンボルの長さは前記ダウンリンク信号シンボルの長さ以下である、
ことを特徴とする請求項３７〜５４のいずれか１項に記載の方法。
【請求項５６】
前記プリアンブル信号のシーケンスは周波数領域において第１帯域幅のＭ個の連続的なサブキャリアにマッピングされ、ただし、前記プリアンブル信号のシーケンス長さはＭ、Ｍは正整数である、
ことを特徴とする請求項３７〜５５のいずれか１項に記載の方法。
【請求項５７】
前記プリアンブル信号のサブキャリア間隔は前記ダウンリンク信号のサブキャリア間隔より大きい、
ことを特徴とする請求項５６に記載の方法。
【請求項５８】
前記プリアンブル信号のシーケンスは周波数領域において第１帯域幅のＭ個の離散したサブキャリアにマッピングされ、ただし、前記Ｍ個の離散したサブキャリア内の任意の隣接する２つのサブキャリアの間の距離は等しく、前記プリアンブル信号のシーケンス長さはＭ、Ｍは正整数である、
ことを特徴とする請求項３７〜５７のいずれか１項に記載の方法。
【請求項５９】
前記プリアンブル信号のサブキャリア間隔は前記ダウンリンク信号のサブキャリア間隔に等しい、
ことを特徴とする請求項５８に記載の方法。
【請求項６０】
前記Ｍ個のサブキャリアは前記第１帯域幅の全帯域幅、中央帯域幅又は事前に定義された帯域幅を占有する、
ことを特徴とする請求項５６〜５９のいずれか１項に記載の方法。
【請求項６１】
前記第１帯域幅における前記プリアンブル信号のシーケンスがマッピングするサブキャリア以外のその他のサブキャリアにおいて信号をマッピングしない、
ことを特徴とする請求項５６〜６０のいずれか１項に記載の方法。
【請求項６２】
前記プリアンブル信号が少なくとも２つのシーケンスを含む場合、前記少なくとも２つのシーケンスは時間領域において交互に伝送される、
ことを特徴とする請求項３７〜６１のいずれか１項に記載の方法。
【請求項６３】
前記プリアンブル信号が少なくとも２つのシーケンスを含む場合、前記少なくとも２つのシーケンスの時間領域における伝送方式は１つのシーケンスの伝送が完了した後に次のシーケンスを伝送することである、
ことを特徴とする請求項３７〜６１のいずれか１項に記載の方法。
【請求項６４】
前記プリアンブル信号のシーケンスはプライマリ同期信号ＰＳＳ、セカンダリ同期信号ＳＳＳ及びＺａｄｏｆｆ−Ｃｈｕシーケンスのうち少なくとも１つである、
ことを特徴とする請求項３７〜６３のいずれか１項に記載の方法。
【請求項６５】
前記プリアンブル信号のシーケンスはコミュニティパブリック、グループパブリック又は端末デバイス固有のものである、
ことを特徴とする請求項３７〜６４のいずれか１項に記載の方法。
【請求項６６】
前記プリアンブル信号は、コミュニティ標識ＩＤ、公衆陸上モバイルネットワークＰＬＭＮ  ＩＤ、送信リクエストＲＴＳ標識、送信クリアＣＴＳ標識、時間領域における前記ダウンリンク信号の位置とチャネル占有時間のうち少なくとも１つの情報を携帯する、
ことを特徴とする請求項３７〜６５のいずれか１項に記載の方法。
【請求項６７】
前記プリアンブル信号の検出に用いられるアンテナポートは全方向アンテナポート又は指向性アンテナポートである、
ことを特徴とする請求項３７〜６６のいずれか１項に記載の方法。
【請求項６８】
前記プリアンブル信号の受信に用いられるアンテナポートは同期信号ブロックＳＳＢの受信に用いられるアンテナポートと同じである、
ことを特徴とする請求項３７〜６７のいずれか１項に記載の方法。
【請求項６９】
前記プリアンブル信号と時間領域において前記プリアンブル信号の後に位置するＳＳＢ又はダウンリンク制御チャネルＰＤＣＣＨは擬似コロケーションＱＣＬである、
ことを特徴とする請求項３７〜６８のいずれか１項に記載の方法。
【請求項７０】
ＲＲＣ、物理ブロードキャストチャネルＰＢＣＨ及び残存最小システム情報ＲＭＳＩのうち１つの方法によりプリアンブル信号の伝送パラメータを取得する、
ことを特徴とする請求項３７〜６９のいずれか１項に記載の方法。
【請求項７１】
前記プリアンブル信号の伝送パラメータの取得方法は物理ランダムアクセスチャネルＰＲＡＣＨの伝送パラメータの取得方法と同じである、
ことを特徴とする請求項３７〜７０のいずれか１項に記載の方法。
【請求項７２】
アンライセンスバンドのキャリアに対してチャネル検出を行う処理ユニットと、
前記チャネル検出に成功した場合、第１時刻から前記キャリアがダウンリンク信号の伝送に適用できることを決定するプリアンブル信号を前記キャリアにおいて送信する通信ユニットと、
を含む、ことを特徴とするネットワークデバイス。
【請求項７３】
前記第１時刻はプリアンブル信号シンボルの形式及び／又は前記チャネル検出に成功した時刻に基づいて決定される時刻である、
ことを特徴とする請求項７２に記載のネットワークデバイス。
【請求項７４】
前記第１時刻はプリアンブル信号シンボル内の候補時刻を含む、
ことを特徴とする請求項７２又は７３に記載のネットワークデバイス。
【請求項７５】
前記第１時刻はプリアンブル信号シンボルの開始時刻を含む、
ことを特徴とする請求項７２〜７４のいずれか１項に記載のネットワークデバイス。
【請求項７６】
前記第１時刻は前記チャネル検出に成功した後の最初の前記プリアンブル信号シンボルの開始時刻を含む、
ことを特徴とする請求項７５に記載のネットワークデバイス。
【請求項７７】
前記第１時刻はプリアンブル信号シンボル内のサイクリックプレフィックスＣＰ部の開始時刻又は情報セクション部の開始時刻を含む、
ことを特徴とする請求項７２〜７６のいずれか１項に記載のネットワークデバイス。
【請求項７８】
前記第１時刻は前記チャネル検出に成功した後の最初の前記ＣＰ部の開始時刻又は最初の前記情報セクション部の開始時刻を含む、
ことを特徴とする請求項７７に記載のネットワークデバイス。
【請求項７９】
プリアンブル信号シンボルは１個の第１ＣＰ部と１個の情報セクション部を含む、
ことを特徴とする請求項７２〜７８のいずれか１項に記載のネットワークデバイス。
【請求項８０】
前記第１時刻は前記プリアンブル信号シンボル内の前記第１ＣＰ部の開始時刻を含む、
ことを特徴とする請求項７９に記載のネットワークデバイス。
【請求項８１】
プリアンブル信号シンボルは１個の第２ＣＰ部とＭ個の情報セクション部を含み、ただし、Ｍは２以上の正整数である、
ことを特徴とする請求項７２〜７８のいずれか１項に記載のネットワークデバイス。
【請求項８２】
前記第１時刻は前記プリアンブル信号シンボル内の前記第２ＣＰ部の開始時刻又は前記Ｍ個の情報セクション部における１つの情報セクション部の開始時刻を含む、
ことを特徴とする請求項８１に記載のネットワークデバイス。
【請求項８３】
前記通信ユニットは、具体的に、
前記第１時刻がチャネル検出に成功した時刻でない場合、前記チャネル検出に成功した時刻から前記第１時刻までの間に、プレースホルダ信号を前記キャリアにおいて送信するのに用いられる、
ことを特徴とする請求項７２〜８２のいずれか１項に記載のネットワークデバイス。
【請求項８４】
前記通信ユニットは、具体的に、
前記第１時刻がチャネル検出に成功した時刻でない場合、前記チャネル検出に成功した時刻から前記第１時刻までの間に、前記プリアンブル信号のＣＰ部を前記キャリアにおいて送信するのに用いられる、
ことを特徴とする請求項７２〜８２のいずれか１項に記載のネットワークデバイス。
【請求項８５】
前記第１時刻は前記ダウンリンク信号シンボルの開始時刻を含む、
ことを特徴とする請求項７２〜７４のいずれか１項に記載のネットワークデバイス。
【請求項８６】
前記通信ユニットは、具体的に、
前記プリアンブル信号の送信が完了した後、第２時刻から前記ダウンリンク信号を前記キャリアにおいて送信するのに用いられる、
ことを特徴とする請求項７２〜８５のいずれか１項に記載のネットワークデバイス。
【請求項８７】
前記第２時刻はダウンリンク信号シンボルの開始時刻である、
ことを特徴とする請求項８６に記載のネットワークデバイス。
【請求項８８】
プリアンブル信号シンボルは、前記ダウンリンク信号に対応するサブキャリア間隔である第１サブキャリア間隔に対応し、又は、
前記第１サブキャリア間隔は、無線リソース制御ＲＲＣシグナリング、物理層シグナリング、媒体アクセス制御ＭＡＣ層シグナリングのうち少なくとも１つにより指示されるサブキャリア間隔であり、又は、
前記第１サブキャリア間隔は事前に定義されたサブキャリア間隔である、
ことを特徴とする請求項７２〜８７のいずれか１項に記載のネットワークデバイス。
【請求項８９】
前記プリアンブル信号を送信する時間の長さはＰ個のプリアンブル信号シンボルの長さ以上であり、又は、
前記プリアンブル信号を送信する時間の長さはＱ個のプリアンブル信号シンボルの情報セクション部の長さ以上であり、
ただし、Ｐは正整数であり、Ｑは２以上の正整数である、
ことを特徴とする請求項７２〜８８のいずれか１項に記載のネットワークデバイス。
【請求項９０】
前記プリアンブル信号はＮ種のシーケンスを含み、ただし、Ｎは正整数である、
ことを特徴とする請求項７２〜８９のいずれか１項に記載のネットワークデバイス。
【請求項９１】
前記プリアンブル信号のサブキャリア間隔は前記ダウンリンク信号のサブキャリア間隔以上であり、又は、
プリアンブル信号シンボルの長さは前記ダウンリンク信号シンボルの長さ以下である、
ことを特徴とする請求項７２〜９０のいずれか１項に記載のネットワークデバイス。
【請求項９２】
前記プリアンブル信号のシーケンスは周波数領域において第１帯域幅のＭ個の連続的なサブキャリアにマッピングし、ただし、前記プリアンブル信号のシーケンス長さはＭであり、Ｍは正整数である、
ことを特徴とする請求項７２〜９１のいずれか１項に記載のネットワークデバイス。
【請求項９３】
前記プリアンブル信号のサブキャリア間隔は前記ダウンリンク信号のサブキャリア間隔より大きい、
ことを特徴とする請求項９２に記載のネットワークデバイス。
【請求項９４】
前記プリアンブル信号のシーケンスは周波数領域において第１帯域幅のＭ個の離散したサブキャリアにマッピングし、ただし、前記Ｍ個の離散したサブキャリア内の任意の隣接する２つのサブキャリアの間の距離は等しく、前記プリアンブル信号のシーケンス長さはＭであり、Ｍは正整数である、
ことを特徴とする請求項７２〜９１のいずれか１項に記載のネットワークデバイス。
【請求項９５】
前記プリアンブル信号のサブキャリア間隔は前記ダウンリンク信号のサブキャリア間隔に等しい、
ことを特徴とする請求項９４に記載のネットワークデバイス。
【請求項９６】
前記Ｍ個のサブキャリアは前記第１帯域幅の全帯域幅、中央帯域幅又は事前に定義された帯域幅を占有する、
ことを特徴とする請求項９２〜９５のいずれか１項に記載のネットワークデバイス。
【請求項９７】
前記第１帯域幅における前記プリアンブル信号のシーケンスがマッピングするサブキャリア以外のその他のサブキャリアにおいて信号をマッピングしない、
ことを特徴とする請求項９２〜９６のいずれか１項に記載のネットワークデバイス。
【請求項９８】
前記プリアンブル信号が少なくとも２つのシーケンスを含む場合、前記少なくとも２つのシーケンスは時間領域において交互に伝送される、
ことを特徴とする請求項７２〜９７のいずれか１項に記載のネットワークデバイス。
【請求項９９】
前記プリアンブル信号が少なくとも２つのシーケンスを含む場合、前記少なくとも２つのシーケンスの時間領域における伝送方式は１つのシーケンスの伝送が完了した後に次のシーケンスを伝送することである、
ことを特徴とする請求項７２〜９８のいずれか１項に記載のネットワークデバイス。
【請求項１００】
前記プリアンブル信号のシーケンスはプライマリ同期信号ＰＳＳ、セカンダリ同期信号ＳＳＳ及びＺａｄｏｆｆ−Ｃｈｕシーケンスのうち少なくとも１つである、
ことを特徴とする請求項７２〜９９のいずれか１項に記載のネットワークデバイス。
【請求項１０１】
前記プリアンブル信号のシーケンスはコミュニティパブリック、グループパブリック又は端末デバイス固有のものである、
ことを特徴とする請求項７２〜１００のいずれか１項に記載のネットワークデバイス。
【請求項１０２】
前記プリアンブル信号は、コミュニティ標識ＩＤ、公衆陸上モバイルネットワークＰＬＭＮ  ＩＤ、送信リクエストＲＴＳ標識、送信クリアＣＴＳ標識、時間領域における前記ダウンリンク信号の位置とチャネル占有時間のうち少なくとも１つの情報を携帯する、
ことを特徴とする請求項７２〜１０１のいずれか１項に記載のネットワークデバイス。
【請求項１０３】
前記チャネル検出が無指向性チャネル検出である場合、前記プリアンブル信号の送信に用いられるアンテナポートは全方向アンテナポート又は指向性アンテナポートであり、
又は、前記チャネル検出が指向性チャネル検出である場合、前記プリアンブル信号の送信に用いられるアンテナポートは前記指向性チャネル検出に対応する方向における指向性アンテナポートである、
ことを特徴とする請求項７２〜１０２のいずれか１項に記載のネットワークデバイス。
【請求項１０４】
前記プリアンブル信号の送信に用いられるアンテナポートは同期信号ブロックＳＳＢの送信に用いられるアンテナポートと同じである、
ことを特徴とする請求項７２〜１０３のいずれか１項に記載のネットワークデバイス。
【請求項１０５】
前記プリアンブル信号と時間領域において前記プリアンブル信号の後に位置するＳＳＢ又はダウンリンク制御チャネルＰＤＣＣＨは擬似コロケーションＱＣＬである、
ことを特徴とする請求項７２〜１０４のいずれか１項に記載のネットワークデバイス。
【請求項１０６】
前記プリアンブル信号の伝送パラメータは、ＲＲＣ、物理ブロードキャストチャネルＰＢＣＨ及び残存最小システム情報ＲＭＳＩのうち１つにより端末デバイスに指示される、
ことを特徴とする請求項７２〜１０５のいずれか１項に記載のネットワークデバイス。
【請求項１０７】
前記プリアンブル信号の伝送パラメータの指示方法は物理ランダムアクセスチャネルＰＲＡＣＨの伝送パラメータの指示方法と同じである、
ことを特徴とする請求項７２〜１０６のいずれか１項に記載のネットワークデバイス。
【請求項１０８】
アンライセンスバンドのキャリアにおいてプリアンブル信号を検出する処理ユニットと、
プリアンブル信号の検出に成功した場合、前記キャリアにおいてダウンリンク信号を受信する通信ユニットと、
を含む、ことを特徴とする端末デバイス。
【請求項１０９】
前記処理ユニットは、具体的に、
第１時刻から前記アンライセンスバンドのキャリアにおいてプリアンブル信号を検出するのに用いられる、
ことを特徴とする請求項１０８に記載の端末デバイス。
【請求項１１０】
前記第１時刻はプリアンブル信号シンボルの形式により決定される時刻である、
ことを特徴とする請求項１０９に記載の端末デバイス。
【請求項１１１】
前記第１時刻はプリアンブル信号シンボル内の候補時刻を含む、
ことを特徴とする請求項１０９又は１１０に記載の端末デバイス。
【請求項１１２】
前記第１時刻はプリアンブル信号シンボルの開始時刻を含む、
ことを特徴とする請求項１０９〜１１１のいずれか１項に記載の端末デバイス。
【請求項１１３】
前記第１時刻はプリアンブル信号シンボル内のサイクリックプレフィックスＣＰ部の開始時刻又は情報セクション部の開始時刻を含む、
ことを特徴とする請求項１０９〜１１２のいずれか１項に記載の端末デバイス。
【請求項１１４】
プリアンブル信号シンボルは１個の第１ＣＰ部と１個の情報セクション部を含む、
ことを特徴とする請求項１０９〜１１３のいずれか１項に記載の端末デバイス。
【請求項１１５】
前記第１時刻は前記プリアンブル信号シンボル内の前記第１ＣＰ部の開始時刻を含む、
ことを特徴とする請求項１１４に記載の端末デバイス。
【請求項１１６】
プリアンブル信号シンボルは１個の第２ＣＰ部とＭ個の情報セクション部を含み、Ｍは２以上の正整数である、
ことを特徴とする請求項１０９〜１１５のいずれか１項に記載の端末デバイス。
【請求項１１７】
前記第１時刻は前記プリアンブル信号シンボル内の前記第２ＣＰ部の開始時刻又は前記Ｍ個の情報セクション部における１つの情報セクション部の開始時刻を含む、
ことを特徴とする請求項１１６に記載の端末デバイス。
【請求項１１８】
前記第１時刻は前記ダウンリンク信号シンボルの開始時刻を含む、
ことを特徴とする請求項１０９〜１１１のいずれか１項に記載の端末デバイス。
【請求項１１９】
前記処理ユニットは、具体的に、
前記アンライセンスバンドのキャリアにおいてスライディングウィンドウ検出の方法を用いてプリアンブル信号を検出するのに用いられる、
ことを特徴とする請求項１０８に記載の端末デバイス。
【請求項１２０】
前記スライディングウィンドウ検出プロセスにおいて毎回処理する時間の長さはダウンリンク信号シンボル内の１つの情報セクション部の長さである、
ことを特徴とする請求項１１９に記載の端末デバイス。
【請求項１２１】
前記通信ユニットは、具体的に、
前記プリアンブル信号の検出に成功した後、第２時刻から前記キャリアにおいてダウンリンク信号を受信するのに用いられる、
ことを特徴とする請求項１０８〜１２０のいずれか１項に記載の端末デバイス。
【請求項１２２】
前記第２時刻はダウンリンク信号シンボルの開始時刻である、
ことを特徴とする請求項１２１に記載の端末デバイス。
【請求項１２３】
プリアンブル信号シンボルは、前記ダウンリンク信号に対応するサブキャリア間隔である第１サブキャリア間隔に対応し、又は、
前記第１サブキャリア間隔は、無線リソース制御ＲＲＣシグナリング、物理層シグナリング、媒体アクセス制御ＭＡＣ層シグナリングのうち少なくとも１つにより指示されるサブキャリア間隔であり、又は、
前記第１サブキャリア間隔は事前に定義されたサブキャリア間隔である、
ことを特徴とする請求項１０８〜１２２のいずれか１項に記載の端末デバイス。
【請求項１２４】
前記プリアンブル信号を検出する時間の長さはＰ個のプリアンブル信号シンボルの長さ以上であり、又は、
前記プリアンブル信号を検出する時間の長さはＱ個のプリアンブル信号シンボルの情報セクション部の長さ以上であり、
ただし、Ｐは正整数であり、Ｑは２以上の正整数である、
ことを特徴とする請求項１０８〜１２３のいずれか１項に記載の端末デバイス。
【請求項１２５】
前記プリアンブル信号はＮ種のシーケンスを含み、ただし、Ｎは正整数である、
ことを特徴とする請求項１０８〜１２４のいずれか１項に記載の端末デバイス。
【請求項１２６】
前記プリアンブル信号のサブキャリア間隔は前記ダウンリンク信号のサブキャリア間隔以上であり、又は、
プリアンブル信号シンボルの長さは前記ダウンリンク信号シンボルの長さ以下である、
ことを特徴とする請求項１０８〜１２５のいずれか１項に記載の端末デバイス。
【請求項１２７】
前記プリアンブル信号のシーケンスは周波数領域において第１帯域幅のＭ個の連続的なサブキャリアにマッピングされ、ただし、前記プリアンブル信号のシーケンス長さはＭであり、Ｍは正整数である、
ことを特徴とする請求項１０８〜１２６のいずれか１項に記載の端末デバイス。
【請求項１２８】
前記プリアンブル信号のサブキャリア間隔は前記ダウンリンク信号のサブキャリア間隔より大きい、
ことを特徴とする請求項１２７に記載の端末デバイス。
【請求項１２９】
前記プリアンブル信号のシーケンスは周波数領域において第１帯域幅のＭ個の離散したサブキャリアにマッピングされ、ただし、前記Ｍ個の離散したサブキャリア内の任意の隣接する２つのサブキャリアの間の距離は等しく、前記プリアンブル信号のシーケンス長さはＭ、Ｍは正整数である、
ことを特徴とする請求項１０８〜１２８のいずれか１項に記載の端末デバイス。
【請求項１３０】
前記プリアンブル信号のサブキャリア間隔は前記ダウンリンク信号のサブキャリア間隔に等しい、
ことを特徴とする請求項１２９に記載の端末デバイス。
【請求項１３１】
前記Ｍ個のサブキャリアは前記第１帯域幅の全帯域幅、中央帯域幅又は事前に定義された帯域幅を占有する、
ことを特徴とする請求項１２７〜１３０のいずれか１項に記載の端末デバイス。
【請求項１３２】
前記第１帯域幅における前記プリアンブル信号のシーケンスがマッピングするサブキャリア以外のその他のサブキャリアにおいて信号をマッピングしない、
ことを特徴とする請求項１２７〜１３１のいずれか１項に記載の端末デバイス。
【請求項１３３】
前記プリアンブル信号が少なくとも２つのシーケンスを含む場合、前記少なくとも２つのシーケンスは時間領域において交互に伝送される、
ことを特徴とする請求項１０８〜１３２のいずれか１項に記載の端末デバイス。
【請求項１３４】
前記プリアンブル信号が少なくとも２つのシーケンスを含む場合、前記少なくとも２つのシーケンスの時間領域における伝送方式は１つのシーケンスの伝送が完了した後に次のシーケンスを伝送することである、
ことを特徴とする請求項１０８〜１３３のいずれか１項に記載の端末デバイス。
【請求項１３５】
前記プリアンブル信号のシーケンスはプライマリ同期信号ＰＳＳ、セカンダリ同期信号ＳＳＳ及びＺａｄｏｆｆ−Ｃｈｕシーケンスのうち少なくとも１つである、
ことを特徴とする請求項１０８〜１３４のいずれか１項に記載の端末デバイス。
【請求項１３６】
前記プリアンブル信号のシーケンスはコミュニティパブリック、グループパブリック又は端末デバイス固有のものである、
ことを特徴とする請求項１０８〜１３５のいずれか１項に記載の端末デバイス。
【請求項１３７】
前記プリアンブル信号は、コミュニティ標識ＩＤ、公衆陸上モバイルネットワークＰＬＭＮ  ＩＤ、送信リクエストＲＴＳ標識、送信クリアＣＴＳ標識、時間領域における前記ダウンリンク信号の位置とチャネル占有時間のうち少なくとも１つの情報を携帯する、
ことを特徴とする請求項１０８〜１３６のいずれか１項に記載の端末デバイス。
【請求項１３８】
前記プリアンブル信号の検出に用いられるアンテナポートは全方向アンテナポート又は指向性アンテナポートである、
ことを特徴とする請求項１０８〜１３７のいずれか１項に記載の端末デバイス。
【請求項１３９】
前記プリアンブル信号の受信に用いられるアンテナポートは同期信号ブロックＳＳＢの受信に用いられるアンテナポートと同じである、
ことを特徴とする請求項１０８〜１３８のいずれか１項に記載の端末デバイス。
【請求項１４０】
前記プリアンブル信号と時間領域において前記プリアンブル信号の後に位置するＳＳＢ又はダウンリンク制御チャネルＰＤＣＣＨは擬似コロケーションＱＣＬである、
ことを特徴とする請求項１０８〜１３９のいずれか１項に記載の端末デバイス。
【請求項１４１】
ＲＲＣ、物理ブロードキャストチャネルＰＢＣＨ及び残存最小システム情報ＲＭＳＩのうち１つの方法によりプリアンブル信号の伝送パラメータを取得する、
ことを特徴とする請求項１０８〜１４０のいずれか１項に記載の端末デバイス。
【請求項１４２】
前記プリアンブル信号の伝送パラメータの取得方法は物理ランダムアクセスチャネルＰＲＡＣＨの伝送パラメータの取得方法と同じである、
ことを特徴とする請求項１０８〜１４１のいずれか１項に記載の端末デバイス。
【請求項１４３】
コンピュータプログラムを記憶するメモリと、前記メモリに記憶されたコンピュータプログラムを呼び出して実行し、請求項１〜３６のいずれか１項に記載の方法を実行するプロセッサと、を含む、
ことを特徴とするネットワークデバイス。
【請求項１４４】
コンピュータプログラムを記憶するメモリと、前記メモリに記憶されたコンピュータプログラムを呼び出して実行し、請求項３７〜７１のいずれか１項に記載の方法を実行するプロセッサと、を含む、
ことを特徴とする端末デバイス。
【請求項１４５】
メモリからコンピュータプログラムを呼び出して実行し、前記チップが実装されたネットワークデバイスに請求項１〜３６のいずれか１項に記載のダウンリンク制御情報を伝送する方法を実行させるプロセッサを含む、
ことを特徴とするチップ。
【請求項１４６】
メモリからコンピュータプログラムを呼び出して実行し、前記チップが実装された端末デバイスに請求項３７〜７１のいずれか１項に記載のダウンリンク制御情報を伝送する方法を実行させるプロセッサを含む、
ことを特徴とするチップ。
【請求項１４７】
コンピュータに請求項１〜３６のいずれか１項に記載の方法を実行させるためのコンピュータプログラムを記憶するのに用いられる、
ことを特徴とするコンピュータ読み取り可能な記憶媒体。
【請求項１４８】
コンピュータに請求項３７〜７１のいずれか１項に記載の方法を実行させるためのコンピュータプログラムを記憶するのに用いられる、
ことを特徴とするコンピュータ読み取り可能な記憶媒体。
【請求項１４９】
コンピュータに請求項１〜３６のいずれか１項に記載の無線通信方法を実行させるためのコンピュータプログラム命令を含む、
ことを特徴とするコンピュータプログラム製品。
【請求項１５０】
コンピュータに請求項３７〜７１のいずれか１項に記載の無線通信方法を実行させるためのコンピュータプログラム命令を含む、
ことを特徴とするコンピュータプログラム製品。
【請求項１５１】
コンピュータに請求項１〜３６のいずれか１項に記載の方法を実行させる、
ことを特徴とするコンピュータプログラム。
【請求項１５２】
コンピュータに請求項３７〜７１のいずれか１項に記載の方法を実行させる、
ことを特徴とするコンピュータプログラム。
【発明の詳細な説明】
【技術分野】
【０００１】
本願は、２０１８年７月２７日に中国専利局に提出し、出願番号２０１８１０８４８１２９．６、発明の名称が「無線通信方法及びデバイス」である優先権を主張し、その全ての内容は参照により本明細書に援用される。
【０００２】
本発明の実施例は通信分野に関し、より具体的には、無線通信方法及びデバイスに関する。
【背景技術】
【０００３】
新しい無線（Ｎｅｗ  Ｒａｄｉｏ、ＮＲ）システムはアンライセンスバンド（ｕｎｌｉｃｅｎｓｅｄ  ｆｒｅｑｕｅｎｃｙ  ｂａｎｄｓ）上のデータ伝送をサポートすることができ、具体的には、ネットワークデバイスがアンライセンスバンドにおいて通信する際に、周辺局が通信中でないことを確認してから通信を開始する（Ｌｉｓｔｅｎ  Ｂｅｆｏｒｅ  Ｔａｌｋ、ＬＢＴ）という仕組みを必要とし、即ち、ネットワークデバイスはアンライセンスバンドのチャネルにおいてダウンリンク信号を送信する前、先にチャネル検出（又はチャネルスヌーピングと言う）を行う必要があり、チャネル検出結果がチャネルアイドルである場合のみ、該ネットワークデバイスはダウンリンク信号を送信することができる。
【０００４】
ネットワークデバイスがダウンリンク信号を送信する時には不確実性があるため、端末デバイスがダウンリンク信号を受信する場合は、ブラインド検出を行うことによりネットワークデバイスがダウンリンク信号を送信しているか否かを確認する必要がある。これは端末デバイスの複雑度と消費電力とのいずれも高くさせてしまう。
【発明の概要】
【発明が解決しようとする課題】
【０００５】
本発明の実施例は、端末デバイスの複雑度と消費電力を低減することができる無線通信方法及びデバイスを提供する。
【課題を解決するための手段】
【０００６】
第１態様は、アンライセンスバンドのキャリアに対してチャネル検出を行うことと、前記チャネル検出に成功した場合、第１時刻から前記キャリアがダウンリンク信号の伝送に適用できることを決定するプリアンブル信号を前記キャリアにおいて送信することと、を含む無線通信方法を提供する。
【０００７】
第２態様は、アンライセンスバンドのキャリアにおいてプリアンブル信号を検出することと、プリアンブル信号の検出に成功した場合、前記キャリアにおいてダウンリンク信号を受信することと、を含む無線通信方法を提供する。
【０００８】
第３態様は、上記第１態様又は第１態様の任意の選択可能な実施形態に記載の方法を実行するネットワークデバイスを提供する。具体的には、該ネットワークデバイスは上記第１態様又は第１態様の任意の選択可能な実施形態に記載の方法を実行する機能モジュールを含む。
【０００９】
第４態様は、上記第２態様又は第２態様の任意の選択可能な実施形態に記載の方法を実行する端末デバイスを提供する。具体的には、該端末デバイスは上記第２態様又は第２態様の任意の選択可能な実施形態に記載の方法を実行する機能モジュールを含む。
【００１０】
第５態様は、コンピュータプログラムを記憶するメモリと、該メモリに記憶されたコンピュータプログラムを呼び出して実行し、上記第１態様又はその各実施形態における方法を実行するプロセッサと、を含むネットワークデバイスを提供する。
【００１１】
第６態様は、コンピュータプログラムを記憶するメモリと、該メモリに記憶されたコンピュータプログラムを呼び出して実行し、上記第２態様又はその各実施形態における方法を実行するプロセッサと、を含む端末デバイスを提供する。
【００１２】
第７態様は、上記第１態様又は第１態様の任意の可能な実施形態における方法を実現するチップを提供する。具体的には、該チップは、メモリからコンピュータプログラムを呼び出して実行し、それにより該チップが実装されたデバイスを上記第１態様又は第１態様のような任意の可能な実施形態における方法を実行させるプロセッサを含む。
【００１３】
第８態様は、上記第２態様又は第２態様の任意の可能な実施形態における方法を実現するチップを提供する。具体的には、該チップは、メモリからコンピュータプログラムを呼び出して実行し、それにより該チップが実装されたデバイスを上記第２態様又は第２態様のような任意の可能な実施形態における方法を実行させるプロセッサを含む。
【００１４】
第９態様は、コンピュータに上記第１態様又は第１態様の任意の可能な実施形態における方法を実行させるためのコンピュータプログラムを記憶するのに用いられるコンピュータ読み取り可能な記憶媒体を提供する。
【００１５】
第１０態様は、コンピュータに上記第２態様又は第２態様の任意の可能な実施形態における方法を実行させるためのコンピュータプログラムを記憶するのに用いられるコンピュータ読み取り可能な記憶媒体を提供する。
【００１６】
第１１態様は、コンピュータに上記第１態様又は第１態様の任意の可能な実施形態における方法を実行させるためのコンピュータプログラム命令を含むコンピュータプログラム製品を提供する。
【００１７】
第１２態様は、コンピュータに上記第２態様又は第２態様の任意の可能な実施形態における方法を実行させるためのコンピュータプログラム命令を含むコンピュータプログラム製品を提供する。
【００１８】
第１３態様は、コンピュータで実行する時、コンピュータに上記第１態様又は第１態様の任意の可能な実施形態における方法を実行させるコンピュータプログラムを提供する。
【００１９】
第１４態様は、コンピュータで実行する時、コンピュータに上記第２態様又は第２態様の任意の可能な実施形態における方法を実行させるコンピュータプログラムを提供する。
【発明の効果】
【００２０】
本願の実施例により提供される技術的解決手段では、端末デバイスがダウンリンク信号を検出することを補助するために、ネットワークデバイスはダウンリンク信号を送信する前にプリアンブル信号を送信することができる。端末デバイスはプリアンブル信号を検出した後にダウンリンク信号を受信し、端末デバイスのダウンリンク信号に対するブラインド検出による複雑度と消費電力が増加するという問題を回避する。
【図面の簡単な説明】
【００２１】
【図１】本願の実施例に応用される無線通信システムを示す図である。
【図２】本願の実施例により提供される無線通信方法の概略フローチャートである。
【図３】本願の実施例により提供される第１時刻の決定方法を示す図である。
【図４】本願の実施例により提供される別の第１時刻の決定方法を示す図である。
【図５】本願の実施例により提供される別の第１時刻の決定方法を示す図である。
【図６】本願の実施例により提供される別の第１時刻の決定方法を示す図である。
【図７】本願の実施例により提供されるプリアンブル信号の伝送方法を示す図である。
【図８】本願の実施例により提供されるプリアンブル信号のシーケンスの周波数領域におけるマッピング方法を示す図である。
【図９】本願の実施例により提供される別のプリアンブル信号のシーケンスの周波数領域におけるマッピング方法を示す図である。
【図１０】本願の実施例により提供される別の無線通信方法の概略フローチャートである。
【図１１】本願の実施例により提供されるネットワークデバイスの概略ブロック図である。
【図１２】本願の実施例により提供される端末デバイスの概略ブロック図である。
【図１３】本願の実施例により提供される通信デバイスの概略構成図である。
【図１４】本願の実施例により提供されるチップの概略構成図である。
【図１５】本願の実施例により提供される通信システムの概略ブロック図である。
【発明を実施するための形態】
【００２２】
以下、図面に合わせて、本発明の実施例における技術的解決手段を説明する。
【００２３】
本願の実施例にかかる技術的解決手段は様々な通信システムに適用でき、例えば、グローバル・モバイル・コミュニケーション（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称する）、ロングタームエボリューション（Ｌｏｎｇ  Ｔｅｒｍ  Ｅｖｏｌｕｔｉｏｎ、「ＬＴＥ」と略称する）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）、ロングタームエボリューションアドバンス（Ａｄｖａｎｃｅｄ  ｌｏｎｇ  ｔｅｒｍ  ｅｖｏｌｕｔｉｏｎ、ＬＴＥ−Ａ）システム、新しい無線（Ｎｅｗ  Ｒａｄｉｏ、ＮＲ）システム、ＮＲシステムのエボリューションシステム、アンライセンスバンドのＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ、ＬＴＥ−Ｕ）システム、アンライセンスバンドのＮＲ（ＮＲ−ｂａｓｅｄ  ａｃｃｅｓｓ  ｔｏ  ｕｎｌｉｃｅｎｓｅｄ  ｓｐｅｃｔｒｕｍ、ＮＲ−Ｕ）システム、ユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称する）通信システム、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）、無線フィディリティ（Ｗｉｒｅｌｅｓｓ  Ｆｉｄｅｌｉｔｙ、ＷｉＦｉ）、次世帯通信システム又はその他の通信システム等である。
【００２４】
本願の実施例は適用するバンドを限定しない。例えば、本願の実施例はライセンスバンドに適用してもよく、アンライセンスバンドに適用してもよい。
【００２５】
図１は本願の実施例に適用される無線通信システム１００を示す。該無線通信システム１００はネットワークデバイス１１０を含んでもよい。ネットワークデバイス１１０は端末デバイスと通信するデバイスであってもよい。ネットワークデバイス１１０は特定の地理的エリアに通信カバレッジを提供でき、該カバレッジエリアにある端末デバイス（例えば、ＵＥ）と通信することができる。好ましくは、該ネットワークデバイス１１０はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、さらにＬＴＥシステム又はＮＲシステムにおけるエボリューション型基地局（Ｅｖｏｌｕｔｉｏｎａｌ  Ｎｏｄｅ  Ｂ、ｅＮＢ又はｅＮｏｄｅＢ）であってもよく、又はクラウド・ワイヤレス・アクセス・ネットワーク（Ｃｌｏｕｄ  Ｒａｄｉｏ  Ａｃｃｅｓｓ  Ｎｅｔｗｏｒｋ、ＣＲＡＮ）の無線コントローラであり、又は該ネットワークデバイスはリレーステーション（中継局）、アクセスポイント、車載デバイス、ウェアラブルデバイス、５Ｇネットワークにおけるネットワーク側デバイス又は将来進化する公衆陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワークデバイス等であってもよい。
【００２６】
該無線通信システム１００はさらにネットワークデバイス１１０のカバレッジ範囲内に位置する少なくとも１つの端末デバイス１２０を含む。端末デバイス１２０は移動又は固定であってもよい。好ましくは、端末デバイス１２０はアクセス端末、ユーザーデバイス（Ｕｓｅｒ  Ｅｑｕｉｐｍｅｎｔ、ＵＥ）、ユーザーユニット、ユーザーステーション、モバイルステーション、移動局、リモートステーション、リモート端末、モバイルデバイス、ユーザー端末、端末、無線通信デバイス、ユーザーエージェント又はユーザー装置であってもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレス・ローカル・ループ（Ｗｉｒｅｌｅｓｓ  Ｌｏｃａｌ  Ｌｏｏｐ、ＷＬＬ）ステーション、パーソナル・デジタル・アシスタント（Ｐｅｒｓｏｎａｌ  Ｄｉｇｉｔａｌ  Ａｓｓｉｓｔａｎｔ、ＰＤＡ）、無線通信機能を備えるハンドヘルドデバイス、コンピューティングデバイス又は無線モデムに接続されたその他の処理デバイス、車載デバイス、ウェアラブルデバイス、将来５Ｇネットワークにおける端末デバイス又は将来進化するＰＬＭＮにおける端末デバイス等であってもよい。ただし、好ましくは、端末デバイス１２０の間で端末直接接続（Ｄｅｖｉｃｅ  ｔｏ  Ｄｅｖｉｃｅ、Ｄ２Ｄ）通信を行ってもよい。
【００２７】
好ましくは、５Ｇシステム又はネットワークはさらにＮＲシステム又はネットワークとも呼ばれる。
【００２８】
図１は例示的に１つのネットワークデバイスと２つの端末デバイスを示す。好ましくは、該無線通信システム１００は複数のネットワークデバイスを含んでもよく、各ネットワークデバイスのカバレッジ範囲内にその他の数の端末デバイスを含んでもよく、本願の実施例はこれらに対して限定しない。
【００２９】
好ましくは、該無線通信システム１００はさらにアクセス及び移動性管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）、セッション管理機能（Ｓｅｓｓｉｏｎ  Ｍａｎａｇｅｍｅｎｔ  Ｆｕｎｃｔｉｏｎ、ＳＭＦ）、統一されたデータ管理（Ｕｎｉｆｉｅｄ  Ｄａｔａ  Ｍａｎａｇｅｍｅｎｔ、ＵＤＭ）、認証サーバー機能（Ａｕｔｈｅｎｔｉｃａｔｉｏｎ  Ｓｅｒｖｅｒ  Ｆｕｎｃｔｉｏｎ、ＡＵＳＦ）等のその他のネットワークエンティティを含んでもよく、本願の実施例はこれらに対して限定しない。
【００３０】
また、本願の各態様又は特徴は方法、装置又は標準的なプログラミング及び／又はエンジニアリング技術を用いる製品に実現することができる。本願に用いられる用語「製品」は任意のコンピュータ読み取り可能なデバイス、キャリア又は媒体からアクセス可能なコンピュータプログラムを含む。例えば、コンピュータ読み取り可能な媒体は、磁気メモリ（例えば、ハードディスク、フロッピーディスク又は磁気テープ等）、光ディスク（例えば、圧縮ディスク（Ｃｏｍｐａｃｔ  Ｄｉｓｃ、ＣＤ）、デジタル多用途ディスク（Ｄｉｇｉｔａｌ  Ｖｅｒｓａｔｉｌｅ  Ｄｉｓｃ、ＤＶＤ）等）、スマートカード及びフラッシュメモリデバイス（例えば、書き込み・消去可能なプログラマル読み取り専用メモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ）、カード、スティック又はキードライブ等）を含んでもよいが、これらに限定されない。また、本明細書に説明される様々な記憶媒体は、情報を記憶する１つ又は複数のデバイス及び／又はその他の機器読み取り可能な媒体を代表することができる。用語「機器読み取り可能な媒体」は命令及び／又はデータを記憶し、含み及び／又はキャリア可能な様々な媒体を含んでもよいが、これらに限定されない。
【００３１】
理解すべきことは、本明細書における用語「システム」と「ネットワーク」は本明細書において常に同じ意味で使用される。本明細書における用語「及び／又は」は、関連付けられたオブジェクトを説明する関連付け関係に過ぎず、３つの関係が存在することを示す。例えば、Ａ及び／又はＢは、Ａが単独で存在する、ＡとＢが同時に存在する、Ｂが単独で存在するという３つのケースを示す。また、本明細書における記号「／」は、一般的に前後の関連付けられたオブジェクトが「又は」の関係であることを示す。
【００３２】
アンライセンスバンドにおいて、ネットワークデバイスが端末デバイスにダウンリンク信号を送信する前、キャリア上のチャネルを検出する必要がある。ネットワークデバイスによりチャネルがアイドルであることを検出した場合、チャネル検出に成功し、該チャネルを信号の伝送に適用できることを表す。チャネル検出に失敗した場合、該チャネルを信号の伝送に適用できないことを表す。ネットワークデバイスがダウンリンク信号を送信する時間は不確実性があるため、端末デバイスがダウンリンク信号を受信する時、ダウンリンク信号に対してブラインド検出を行う必要があり、ネットワークデバイスがダウンリンク信号を送信するか否かを判定し、端末デバイスのダウンリンク信号に対するブラインド検出は端末デバイスの複雑度と消費電力を増加させる可能性がある。
【００３３】
本願の実施例は無線通信方法を提供し、端末デバイスがダウンリンク信号を検出することを補助するために、ネットワークデバイスはダウンリンク信号を送信する前にプリアンブル信号を送信することができる。端末デバイスはプリアンブル信号を検出した後にダウンリンク信号を受信し、端末デバイスのダウンリンク信号に対するブラインド検出による複雑度と消費電力が増加するという問題を回避する。
【００３４】
理解すべきことは、本願の実施例におけるプリアンブル信号の伝送方法はダウンリンク伝送又はアップリンク伝送に適用することができる。例えば、本願の実施例における方法はアップリンク伝送に適用する時、端末デバイスはアップリンク信号を送信する前に先にアップリンクプリアンブル信号を送信することができ、対応的に、ネットワークデバイスは該アップリンクプリアンブル信号を検出した後にアップリンク信号を受信する。
【００３５】
説明しやすくするために、本願の実施例においてダウンリンク伝送を例として説明し、アップリンク伝送プロセスについて説明を省略する。
【００３６】
説明すべきことは、本願の実施例において、ダウンリンク信号はダウンリンク物理チャネルとダウンリンク参照信号を含んでもよく、ダウンリンク物理チャネルは物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、物理マルチキャストチャネル（Ｐｈｙｓｉｃａｌ  Ｍｕｌｔｉｃａｓｔ  Ｃｈａｎｎｅｌ、ＰＭＣＨ）及び物理ブロードキャストチャネル（Ｐｈｙｓｉｃａｌ  Ｂｒｏａｄｃａｓｔ  Ｃｈａｎｎｅｌ、ＰＢＣＨ）等を含んでもよい。ダウンリンク参照信号はダウンリンク同期信号（Ｓｙｎｃｈｒｏｎｉｚａｔｉｏｎ  Ｓｉｇｎａｌ）、位相追跡参照信号（Ｐｈａｓｅ  Ｔｒａｃｋｉｎｇ  Ｒｅｆｅｒｅｎｃｅ  Ｓｉｇｎａｌ、ＰＴ−ＲＳ）、ダウンリンク復調参照信号（ＤｅＭｏｄｕｌａｔｉｏｎ  Ｒｅｆｅｒｅｎｃｅ  Ｓｉｇｎａｌ、ＤＭＲＳ）及びチャネル状態情報参照信号（Ｃｈａｎｎｅｌ  Ｓｔａｔｅ  Ｉｎｆｏｒｍａｔｉｏｎ−  Ｒｅｆｅｒｅｎｃｅ  Ｓｉｇｎａｌ、ＣＳＩ−ＲＳ）等を含んでもよい。理解すべきことは、本願の実施例において上記と名称が同じであり、機能が異なるダウンリンク物理チャネル又はダウンリンク参照信号を含んでもよく、上記と名称が異なり、機能が同じであるダウンリンク物理チャネル又はダウンリンク参照信号を含んでもよく、本願はこれらに対して限定しない。
【００３７】
説明すべきことは、本願の実施例において、アップリンク信号はアップリンク物理チャネルとアップリンク参照信号を含んでもよく、アップリンク物理チャネルは物理ランダムアクセスチャネル（ＰＲＡＣＨ、Ｐｈｙｓｉｃａｌ  Ｒａｎｄｏｍ  Ａｃｃｅｓｓ  ＣＨａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  ＣＨａｎｎｅｌ）及び物理アップリンク共有チャネル（ＰＵＳＣＨ、Ｐｈｙｓｉｃａｌ  Ｕｐｌｉｎｋ  Ｓｈａｒｅｄ  ＣＨａｎｎｅｌ）等を含んでもよい。アップリンク参照信号はアップリンク復調参照信号（ＤｅＭｏｄｕｌａｔｉｏｎ  Ｒｅｆｅｒｅｎｃｅ  Ｓｉｇｎａｌ、ＤＭＲＳ）、サウンディング参照信号（Ｓｏｕｎｄｉｎｇ  Ｒｅｆｅｒｅｎｃｅ  Ｓｉｇｎａｌ、ＳＲＳ）及び位相追跡参照信号（Ｐｈａｓｅ  Ｔｒａｃｋｉｎｇ  Ｒｅｆｅｒｅｎｃｅ  Ｓｉｇｎａｌ、ＰＴ−ＲＳ）等を含んでもよい。理解すべきことは、本願の実施例において上記と名称が同じであり、機能が異なるアップリンク物理チャネル又はアップリンク参照信号を含んでもよく、上記と名称が異なり、機能が同じであるアップリンク物理チャネル又はアップリンク参照信号を含んでもよく、本願はこれらに対して限定しない。
【００３８】
図２は本願の実施例により提供される無線通信方法２００の概略フローチャートである。図２の方法は以下の内容のうち少なくとも一部の内容を含む。
【００３９】
ステップ２１０において、アンライセンスバンドのキャリアに対してチャネル検出を行う。
【００４０】
ステップ２２０において、前記チャネル検出に成功した場合、第１時刻から前記キャリアがダウンリンク信号の伝送に適用できることを決定するプリアンブル信号を前記キャリアにおいて送信する。
【００４１】
本願の実施例において、プリアンブル信号の送信に用いられるシンボルをプリアンブル信号シンボルと呼ぶことができる。
【００４２】
実際にはプリアンブル信号の伝送に用いられるシンボルは完全なシンボルを用いることに限らず、シンボルの一部を用いてプリアンブル信号を送信してもよい。
【００４３】
例えば、プリアンブル信号が該２個のプリアンブル信号シンボルにおいて伝送すると仮定し、実際にプリアンブル信号を伝送する時間の長さは１．５個のプリアンブル信号シンボルの長さのみであり、即ちそのうち１個のシンボルはハーフシンボルのみを占めてもよい。
【００４４】
第１時刻の決定方法は複数ある。例として、第１時刻は候補時刻セットのうち１つの時刻であってもよい。例えば、事前に時間長さに複数の候補時刻を設定し、複数の候補時刻のうち１つの候補時刻を第１時刻とする。複数の候補時刻のうちに任意の２つの隣接する候補時刻の間の時間間隔は等しくてもよく、逓増又は逓減であってもよく、本願の実施例はこれらに対して具体的に限定しない。
【００４５】
別の例として、第１時刻はプリアンブル信号シンボル内の任意の１つの時刻であってもよい。
【００４６】
別の例として、第１時刻はプリアンブル信号シンボルの形式及び／又は前記チャネル検出に成功した時刻に基づいて決定される時刻であってもよい。
【００４７】
説明すべきことは、本願の実施例における候補時刻もプリアンブル信号シンボルの形式及び／又は前記チャネル検出に成功した時刻に基づいて決定される時刻であってもよい。
【００４８】
プリアンブル信号シンボルはプリアンブル信号の伝送に用いられ、プリアンブル信号シンボルは、例えば、サイクリックプレフィックス（ｃｙｃｌｉｃ  ｐｒｅｆｉｘ、ＣＰ）部と情報セクション部を含んでもよく、情報セクション部は、例えば、ネットワークデバイスが送信するデータ部であってもよい。ただし、プリアンブル信号のＣＰ部は情報セクション部のテール部の内容であってもよい。
【００４９】
好ましくは、プリアンブル信号シンボルの形式は、プリアンブル信号シンボルに含まれる情報セクション部の数、プリアンブル信号シンボルの数、情報セクション部とＣＰ部との位置関係、ＣＰ部の長さ、情報セクション部の長さ及びプリアンブル信号シンボルのサブキャリア間隔のうち少なくとも１つを指示することができる。
【００５０】
プリアンブル信号シンボルの形式は複数あってもよく、１つあってもよい。好ましくは、プリアンブル信号シンボルの形式が複数ある場合、ネットワークデバイスは高層シグナリング又は物理層シグナリングにより端末デバイスが現在、該複数のプリアンブル信号シンボルの形式のどちらを用いるかを指示する。
【００５１】
例として、一形式のプリアンブル信号シンボルに対して、プリアンブル信号シンボルは１個の第１ＣＰ部と１個の情報セクション部を含み、各情報セクション部はいずれも単独の第１ＣＰ部を有する。
【００５２】
例として、一形式のプリアンブル信号シンボルに対して、プリアンブル信号シンボルは１個の第２ＣＰ部とＭ個の情報セクション部を含み、Ｍ個の情報セクション部は１個の第２ＣＰ部を共有し、Ｍは２以上の正整数である。ただし、即ち該Ｍ個の情報セクションは繰り返し送信する（即ち、該Ｍ個の情報セクションのそれぞれの情報セクションに送信する信号はいずれも同じである）。
【００５３】
例として、第２ＣＰ部の長さは第１ＣＰ部の長さより大きい。
【００５４】
例として、第２ＣＰ部の長さはＭ個の第１ＣＰ部の長さである。
【００５５】
以下、プリアンブル信号シンボルの形式及び／又は前記チャネル検出に成功した時刻に基づいて第１時刻を決定する方法について、詳しく説明する。
【００５６】
例として、第１時刻はプリアンブル信号シンボルの形式に基づいて決定される時刻であってもよい。例えば、第１時刻は情報セクション部の開始時刻であってもよく、ＣＰ部の開始時刻であってもよく、プリアンブル信号シンボルの開始時刻であってもよい。
【００５７】
別の例として、第１時刻はチャネル検出に成功した時刻に基づいて決定される時刻であってもよい。例えば、チャネル検出に成功した後に事前設定された時間帯後の時刻を第１時刻としてもよい。例えば、第１時刻はチャネル検出に成功した時刻であってもよい。
【００５８】
別の例として、第１時刻はプリアンブル信号シンボルの形式及びチャネル検出に成功した時刻に基づいて共同で決定されてもよい。例えば、第１時刻はチャネル検出に成功した後のプリアンブル信号シンボルの開始時刻であってもよく、チャネル検出に成功した後のＣＰ部の開始時刻であってもよく、チャネル検出に成功した後の情報セクション部の開始時刻であってもよく、又はチャネル検出に成功した後のダウンリンク信号シンボルの開始時刻であってもよい。
【００５９】
理解すべきことは、前述のとおり、第１時刻はプリアンブル信号シンボルの形式及び／又は前記チャネル検出に成功した時刻に基づいて決定される時刻であってもよいことを説明するが、理解すべきことは、本願の実施例はこれに限定されるものではない。
【００６０】
プリアンブル信号のサブキャリア間隔の決定方法は複数あってもよい。以下、プリアンブル信号のサブキャリア間隔の決定方法を説明し、本願の実施例はプリアンブル信号シンボルに対応するサブキャリア間隔を第１サブキャリア間隔と呼ぶことができる。
【００６１】
例として、第１サブキャリア間隔はダウンリンク信号に対応するサブキャリア間隔に等しくてもよい。即ちシステムにおいて、プリアンブル信号のサブキャリア間隔がダウンリンク信号のサブキャリア間隔に等しいことを約束することができ、ネットワークデバイスがダウンリンク信号のサブキャリア間隔を取得した後、プリアンブル信号のサブキャリア間隔がダウンリンク信号のサブキャリア間隔に等しいことを直接決定することができる。
【００６２】
別の例として、第１サブキャリア間隔は、無線リソース制御（ｒａｄｉｏ  ｒｅｓｏｕｒｃｅ  ｃｏｎｔｒｏｌ、ＲＲＣ）シグナリング、物理層シグナリング、媒体アクセス制御（ｍｅｄｉａ  ａｃｃｅｓｓ  ｃｏｎｔｒｏｌ、ＭＡＣ）層シグナリングのうち少なくとも１つのシグナリングにより指示されるサブキャリア間隔であってもよい。
【００６３】
別の例として、第１サブキャリア間隔は事前に定義されたサブキャリア間隔であってもよい。例えば、第１サブキャリア間隔は標準仕様に規定されているサブキャリア間隔であってもよい。
【００６４】
第１時刻はダウンリンク信号シンボル（即ち、ＰＤＣＣＨ又はＰＤＳＣＨ等のダウンリンクシンボルの伝送に用いることができる）の形式に基づいて決定されてもよい。例えば、ダウンリンク信号シンボルの開始時刻に合わせた時刻を第１時刻として決定してもよい。ここで言及されるダウンリンク信号シンボルの開始時刻はダウンリンク信号のサブキャリア間隔に対応するダウンリンク信号シンボルの開始時刻を指し、ダウンリンク信号のサブキャリア間隔は、実際に伝送されるダウンリンク信号のサブキャリア間隔であってもよく、ネットワークデバイスが無線リソース制御ＲＲＣシグナリング、物理層シグナリング、媒体アクセス制御ＭＡＣ層シグナリングのうち少なくとも１つにより指示されたダウンリンク信号の伝送に用いられるサブキャリア間隔であってもよく、さらに事前に定義されたサブキャリア間隔であってもよい。
【００６５】
好ましくは、プリアンブル信号のサブキャリア間隔（即ち第１サブキャリア間隔）はダウンリンク信号のサブキャリア間隔以上であってもよく、又はプリアンブル信号シンボルの長さはダウンリンク信号シンボルの長さ以下であってもよい。
【００６６】
ＮＲシステムを例として、ＮＲシステムはＬＴＥシステムに比べて、より大きいサブキャリア間隔をサポートすることができ、サブキャリア間隔の構成も多様化である。例えば、ＮＲシステムのサポート可能なサブキャリア間隔は１５ｋＨｚ、３０ｋＨｚ、６０ｋＨｚ等を含む。システムのサブキャリア間隔が大きいほど、システムの信号を伝送するためのシンボルが短くてもよい。
【００６７】
これに基づいて、ダウンリンク信号（例えば、ＰＤＳＣＨ又はＰＤＣＣＨ）に対して毎回ブラインド検出を行う場合、端末の複雑度を増加させ消費電力を増加させる。本願の実施例は現在のキャリアがダウンリンク信号の伝送に適用できることを決定するプリアンブル信号を送信することによって、端末のダウンリンク信号に対するブラインド検出の複雑度を低減させ、端末デバイスを簡単化し、消費電力を削減することができる。
【００６８】
以下、図３〜図６に合わせて、プリアンブル信号シンボルの形式及び第１時刻の決定方法を詳しく説明する。図３〜図６において、プリアンブル信号のサブキャリア間隔の大きさが４個のダウンリンク信号のサブキャリア間隔の大きさに等しいことを例として説明する。
【００６９】
説明すべきことは、図３〜図６において、時間の長さに対する分割はダウンリンク信号シンボルの長さに基づいて分割することができ、即ちシンボル＃ｎとシンボル＃（ｎ＋１）の長さはいずれも１つのダウンリンク信号シンボルの長さに等しい。
【００７０】
好ましくは、プリアンブル信号シンボルの形式は図３に示すように、１個のプリアンブル信号シンボルは１個のＣＰ部と１個の情報セクション部を含み、各情報セクション部はいずれも単独のＣＰ部を有し、該プリアンブル信号シンボルはＣＰを有するプリアンブル信号シンボルと呼ぶこともできる。シンボル＃ｎは４個のプリアンブル信号シンボルを含み、即ち１個のダウンリンク信号シンボルの長さは４個のプリアンブル信号シンボルの長さに等しい。好ましくは、該４個のプリアンブル信号シンボルの最後３個のプリアンブル信号シンボルのＣＰの長さが同じであり、且つ最初のプリアンブル信号シンボルのＣＰの長さより小さく、又は、該４個のプリアンブル信号シンボルのそれぞれのプリアンブル信号シンボルのＣＰの長さは同じである。
【００７１】
図３において、ネットワークデバイスがＣＰ部の開始時刻又はプリアンブル信号シンボルの開始時刻を第１時刻として選択する場合、第１時刻は任意のＣＰ部の開始時刻（図３の↓に示す時刻）であってもよい。ネットワークデバイスがダウンリンク信号シンボルの開始時刻を第１時刻として選択する場合、第１時刻は最初のプリアンブル信号シンボルのＣＰ部の開始時刻（即ち図３の１番目の↓に示す時刻）であってもよい。
【００７２】
好ましくは、プリアンブル信号シンボルの形式は図４に示すように、１個のプリアンブル信号シンボルは１個のＣＰ部と４個の情報セクション部を含み、該４個の情報セクション部は１個のＣＰ部を共有する。１個のプリアンブル信号シンボルの長さはシンボル＃ｎの長さに等しく、即ち１個のプリアンブル信号シンボルの長さは１個のダウンリンク信号シンボルの長さに等しい。１個のダウンリンク信号シンボルの情報セクションの長さは４個のプリアンブル信号シンボルの情報セクションの長さに等しい。理解すべきことは、ダウンリンク信号シンボル＃ｎのＣＰの長さとダウンリンク信号シンボル＃（ｎ＋１）のＣＰの長さは同じであってもよく、異なってもよい（例えば、シンボル＃ｎがタイムスロットのうち最初のシンボル又は７番目のシンボルである時、シンボル＃ｎのＣＰの長さはシンボル＃（ｎ＋１）のＣＰの長さより大きい）。
【００７３】
図４において、ネットワークデバイスが情報セクション部の開始時刻又はＣＰ部の開始時刻を第１時刻として選択する場合、第１時刻はＣＰ部の開始時刻又は４個の情報セクション部における１個の情報セクション部の開始時刻（図４の↓に示す時刻）であってもよい。ネットワークデバイスがプリアンブル信号シンボルの開始時刻又はダウンリンク信号シンボルの開始時刻を第１時刻として選択する場合、第１時刻はプリアンブル信号シンボルの開始時刻（図４の１番目の↓に示す時刻）であってもよい。
【００７４】
説明すべきことは、本願の実施例は図４における１個のプリアンブル信号シンボルを１個のＣＰ部と４個の情報セクション部として理解し、当然ながら、プリアンブル信号シンボルに対してその他の理解があってもよく、例えば、一部の場合において、図４における１個の情報セクションを１個のプリアンブル信号として理解してもよく、又は図４における２個の情報セクションを１個のプリアンブル信号として理解してもよく（即ちＣＰ部の長さと情報セクション部の長さは同じである）、プリアンブル信号シンボルに対する理解は本願を限定するものではない。
【００７５】
好ましくは、プリアンブル信号シンボルの形式は図５に示すように、１個のプリアンブル信号シンボルは１個のＣＰ部と２個の情報セクション部を含み、２個の情報セクション部は１個のＣＰ部を共有する。シンボル＃ｎは２個のプリアンブル信号シンボルを含み、即ち２個のプリアンブル信号シンボルの長さは１個のダウンリンク信号シンボルの長さに等しい。
【００７６】
図５において、ネットワークデバイスが情報セクション部の開始時刻又はＣＰ部の開始時刻を第１時刻として選択する場合、第１時刻はＣＰ部の開始時刻又は４個の情報セクション部の１個の情報セクション部の開始時刻（図５の↓に示す時刻）であってもよい。ネットワークデバイスがプリアンブル信号シンボルの開始時刻を第１時刻として選択する場合、第１時刻は２個のＣＰ部の１個のＣＰ部の開始時刻（図５の１番目の↓又は４番目の↓に示す時刻）であってもよい。ネットワークデバイスがダウンリンク信号シンボルの開始時刻を第１時刻として選択する場合、第１時刻は最初のプリアンブル信号シンボルのＣＰ部の開始時刻（図５の１番目の↓に示す時刻）であってもよい。
【００７７】
１個のダウンリンク信号シンボルの長さにおいて、前述の同じプリアンブル信号シンボルの形式を用いてプリアンブル信号を伝送する以外、異なるプリアンブル信号シンボルの形式を用いてプリアンブル信号を伝送してもよい。
【００７８】
例として、１個のダウンリンク信号シンボルの長さにおいて、１個のダウンリンク信号シンボルは第１プリアンブル信号シンボルと第２プリアンブル信号シンボルを含み、ただし、第１プリアンブル信号シンボルは１個のＣＰ部と３個の情報セクション部を含み、第２プリアンブル信号シンボルは１個のＣＰ部と１個の情報セクション部を含む。この時、第１時刻は第１プリアンブル信号シンボルのＣＰ部の開始時刻又は第１プリアンブル信号シンボルの情報セクション部の開始時刻又は第２プリアンブル信号シンボルのＣＰ部の開始時刻であってもよい。
【００７９】
別の例として、図６に示す４つのケースのとおり、各ケースに用いられるプリアンブル信号シンボルの形式は異なっている。例えば、ケース１の場合、１個のプリアンブル信号シンボルは１個のＣＰ部と４個の情報セクション部を含む。ケース２の場合、１個のプリアンブル信号シンボルは１個のＣＰ部と３個の情報セクション部を含む。ケース３の場合、１個のプリアンブル信号シンボルは１個のＣＰ部と２個の情報セクション部を含む。ケース４の場合、１個のプリアンブル信号シンボルは１個のＣＰ部と１個の情報セクション部を含む。
【００８０】
以下、図６に示す方法を詳しく説明する。
【００８１】
好ましくは、ネットワークデバイスはチャネル検出に成功した時刻に基づいてプリアンブル信号シンボルの形式を決定することができる。
【００８２】
ネットワークデバイスは事前にシンボル＃ｎを時間帯１、時間帯２、時間帯３及び時間帯４等のような複数の時間帯に分割し、各時間帯の開始時刻を第１時刻の候補時刻にすることができる。
【００８３】
図６に示すケース１のとおり、チャネル検出に成功した時刻が時間帯１の前の時刻である場合、ネットワークデバイスは時間帯１の開始時刻からプリアンブル信号を送信することができる。この時、ネットワークデバイスはプリアンブル信号シンボルの形式により指示されるプリアンブル信号シンボルが１個のＣＰ部と（ｐ＋３）個の情報セクションを含むプリアンブル信号を決定することができる。ただし、ｐは正整数である。
【００８４】
図６を例として、ネットワークデバイスは時間帯１の開始時刻から１個のＣＰ部と４個の情報セクションを含むプリアンブル信号を送信することができる。
【００８５】
図６に示すケース２のとおり、チャネル検出に成功した時刻が時間帯１内にある場合、ネットワークデバイスは時間帯２の開始時刻からプリアンブル信号を送信することができる。この時、ネットワークデバイスはプリアンブル信号シンボルの形式により指示されるプリアンブル信号シンボルが１個のＣＰ部と（ｐ＋２）個の情報セクションを含むプリアンブル信号を決定することができる。
【００８６】
図６を例として、ネットワークデバイスは時間帯２の開始時刻から１個のＣＰ部と３個の情報セクションを含むプリアンブル信号を送信することができる。
【００８７】
図６に示すケース３のとおり、チャネル検出に成功した時刻が時間帯２内にある場合、ネットワークデバイスは時間帯３の開始時刻からプリアンブル信号を送信することができる。この時、ネットワークデバイスはプリアンブル信号シンボルの形式により指示されるプリアンブル信号シンボルが１個のＣＰ部と（ｐ＋１）個の情報セクションを含むプリアンブル信号を決定することができる。
【００８８】
図６を例として、ネットワークデバイスは時間帯３の開始時刻から１個のＣＰ部と２個の情報セクション部を含むプリアンブル信号を送信することができる。
【００８９】
図６に示すケース４のとおり、チャネル検出に成功した時刻が時間帯３内にある場合、ネットワークデバイスは時間帯４の開始時刻からプリアンブル信号を送信することができる。この時、ネットワークデバイスはプリアンブル信号シンボルの形式により指示されるプリアンブル信号シンボルが１個のＣＰ部とｐ個の情報セクションを含むプリアンブル信号を決定することができる。
【００９０】
図６を例として、ネットワークデバイスは時間帯３の開始時刻から１個のＣＰ部と１個の情報セクション部を含むプリアンブル信号を送信することができる。
【００９１】
理解すべきことは、上記ケース１、ケース２、ケース３及びケース４におけるＣＰ部の長さは同じであってもよく、異なってもよい。本願はこれらに対して限定しない。
【００９２】
上記説明は、各ケースにおいてプリアンブル信号の送信に用いられる時間の長さをプリアンブル信号の伝送長さに決定するが、本願の実施例はこれに限定されるものではない。シンボル＃ｎの長さをプリアンブル信号シンボルの長さとして理解してもよく、即ちケース１において、プリアンブル信号の送信に用いられるシンボルをプリアンブル信号シンボルとして理解し、完全なシンボルである。ケース２、ケース３及びケース４において、プリアンブル信号の送信に用いられるシンボルが完全なシンボルではないと理解する。
【００９３】
好ましくは、第１時刻はチャネル検出に成功した後のｍ番目のＣＰ部の開始時刻、又はｍ番目の情報セクション部の開始時刻、又はｍ番目のプリアンブル信号シンボルの開始時刻、又はｍ番目のダウンリンク信号シンボルの開始時刻であってもよい。ただし、ｍは正整数である。
【００９４】
好ましくは、ネットワークデバイスはチャネル検出に成功した後、チャネル検出に成功した後の最初の情報セクション部の開始時刻、又は最初のＣＰ部の開始時刻、又は最初のプリアンブル信号シンボルの開始時刻、又は最初のダウンリンク信号シンボルの開始時刻にプリアンブル信号を送信してもよい。
【００９５】
好ましくは、ネットワークデバイスはチャネル検出に成功した後、チャネル検出に成功した後の２番目以上の情報セクション部の開始時刻、又はＣＰ部の開始時刻、又はプリアンブル信号シンボルの開始時刻、又はダウンリンク信号シンボルの開始時刻にプリアンブル信号を送信してもよい。
【００９６】
好ましくは、プリアンブル信号の伝送長さは固定長さである。例えば、プリアンブル信号の伝送長さはＳ個のプリアンブル信号シンボル、又はプリアンブル信号の伝送長さはＳ個のダウンリンク信号シンボル、又はプリアンブル信号の伝送長さは（Ｓ＋１）個の情報セクションであり、Ｓは正整数である。
【００９７】
好ましくは、第１時刻の候補時刻はダウンリンク信号シンボルの開始位置とプリアンブル信号の伝送長さに基づいて決定することができ、ただし、ダウンリンク信号シンボルの開始位置はダウンリンク伝送開始シンボルの候補セットにおける１個のダウンリンク信号シンボルの開始時刻である。例えば、ダウンリンク信号シンボルの開始位置がシンボル＃ｎの開始時刻であり、プリアンブル信号の伝送長さがＳ個のダウンリンク信号シンボルである場合、第１時刻はシンボル＃（ｎ−Ｓ）の開始時刻である。また、例えば、ダウンリンク信号シンボルの開始位置がタイムスロット内のシンボル＃２、＃６、＃１０における１個のシンボルの開始時刻であり、プリアンブル信号の伝送長さが２個のダウンリンク信号シンボルである場合、第１時刻の候補時刻はタイムスロット内のシンボル＃０、＃４、＃８における１個のシンボルの開始時刻であり、ネットワークデバイスはチャネル検出に成功した後に上記第１時刻の候補時刻から最初の使用可能な時刻を第１時刻として選択することができる。
【００９８】
第１時刻がダウンリンク信号シンボルの開始時刻である場合、チャネル検出に成功した時刻はダウンリンク信号シンボルの開始時刻又は中間時刻又は終了時刻のどちらかの位置にあることに関係することなく、プリアンブル信号はいずれもダウンリンク信号シンボルの開始位置から伝送することを表す。例えば、チャネル検出に成功した時刻がダウンリンク信号シンボルの中間の任意の位置にある場合、ネットワークデバイスは次のダウンリンク信号シンボルの開始時刻からダウンリンク信号を伝送する。また、プリアンブル信号が毎回伝送する時間の長さは固定長さである。このような伝送形態において、端末デバイスはプリアンブル信号の候補位置においてプリアンブル信号が存在するか否かを検出することができ、端末デバイスの検出する複雑度を低減することができる。好ましくは、チャネル検出に成功した時刻が第１時刻である場合、ネットワークデバイスはチャネル検出に成功した時刻からプリアンブル信号を送信することができる。
【００９９】
好ましくは、チャネル検出に成功した時刻が第１時刻ではない場合、チャネル検出に成功した時刻から第１時刻までの間に、ネットワークデバイスはプレースホルダ信号を送信することができる。プレースホルダ信号は検出に成功したチャネルを占有するのに用いられ、その他のデバイスが該チャネルにおいてデータを送信して該チャネルを占有することを防止する。プレースホルダ信号は例えばいくつかのクラッター、ノイズ等の信号であってもよい。
【０１００】
好ましくは、該プレースホルダ信号と時間領域において該プレースホルダ信号の後に位置するプリアンブル信号とは擬似コロケーション（ｑｕａｓｉ  ｃｏ−ｌｏｃａｔｅｄ、ＱＣＬ）であってもよく、例えば、プレースホルダ信号に用いられるビーム及び／又はポートに基づいてプリアンブル信号に用いられるビーム及び／又はポートを推定することができる。
【０１０１】
好ましくは、チャネル検出に成功した時刻が第１時刻ではない場合、チャネル検出に成功した時刻から第１時刻までの間に、ネットワークデバイスはプリアンブル信号のＣＰ部を送信することができる。
【０１０２】
説明しやすくするために、チャネル検出に成功した時刻から第１時刻までの間に送信するプリアンブル信号のＣＰ部を初期ＣＰ部と呼ぶ。ただし、初期ＣＰ部はプリアンブル信号の延長ＣＰであってもよい。
【０１０３】
上記説明において、初期ＣＰ部をプリアンブル信号として見なしていない。ところが、ある場合において、初期ＣＰ部をプリアンブル信号の一部の信号として見なすことができ、即ちプリアンブル信号は初期ＣＰ部を含む。この場合、第１時刻はチャネル検出に成功した時刻であり、ネットワークデバイスはチャネル検出に成功した時刻からプリアンブル信号を送信することができる。即ちプリアンブル信号の伝送長さは可変である。
【０１０４】
この場合、初期ＣＰ部を送信する方法は以下のとおり説明してもよい。チャネル検出に成功した時刻から前記チャネル検出に成功した後の最初のＣＰ部の開始時刻、又は最初の情報セクション部の開始時刻、又は最初の前記プリアンブル信号シンボルの開始時刻までの間に、前記プリアンブル信号のＣＰ部を前記キャリアにおいて送信する。
【０１０５】
以下、図７に合わせて、本願の実施例にかかる方法を説明する。
【０１０６】
図７に示すように、チャネル検出に成功した時刻が第１時刻ではないケースであり、図７に示すケース１のプリアンブル信号シンボルの形式は図３に示すプリアンブル信号シンボルの形式と同じであり、図７に示すケース２のプリアンブル信号シンボルの形式は図４に示すプリアンブル信号シンボルの形式と同じである。
【０１０７】
図７に示すように、ネットワークデバイスはＣＰ部の開始時刻又は情報セクション部の時刻を第１時刻にすることができる。チャネル検出に成功した時刻は図の右下矢印に示す位置であり、ネットワークデバイスはチャネル検出に成功した時刻に最も近いＣＰ部の開始時刻を第１時刻に決定することができ、即ち第１時刻は図の↓に示す位置である。
【０１０８】
チャネル検出に成功した時刻から第１時刻までの間に、ネットワークデバイスはプリアンブル信号の初期ＣＰ部を送信することができる。第１時刻からシンボル＃ｎの終了時刻までの間の時間間隔に、ネットワークデバイスはプリアンブル信号を送信することができる。
【０１０９】
理解すべきことは、ＣＰ部は情報セクション部のテール部の内容であるため、図７に示すケース２に対して、チャネル検出に成功した時刻が第１時刻であり、ネットワークデバイスがチャネル検出に成功した時刻からプリアンブル信号シンボルの残り部分を送信するとも考えられる。
【０１１０】
好ましくは、ネットワークデバイスがプリアンブル信号を複数回送信する必要がある場合、プリアンブル信号を複数回送信する開始時刻はいずれもＣＰ部の開始時刻であってもよく、一部がＣＰ部の開始時刻であり、他部がＣＰ部の開始時刻でなくてもよい。例えば、ネットワークデバイスは初回プリアンブル信号を送信する時にＣＰ部の開始時刻を第１時刻とし、２回目にプリアンブル信号を送信する時に情報セクション部の開始時刻、又はプリアンブル信号シンボルの開始時刻、又はダウンリンク信号シンボルの開始時刻を第１時刻としてもよい。
【０１１１】
好ましくは、プリアンブル信号伝送の開始時刻はチャネル検出に成功した時刻に基づいて決定し、プリアンブル信号の伝送長さは可変長さである。
【０１１２】
理解すべきことは、プリアンブル信号の伝送長さが可変である場合、プリアンブル信号の最短伝送長さを規定する必要があり、それにより受信側はプリアンブル信号を正しく受信することができる。
【０１１３】
好ましくは、プリアンブル信号を送信する時間の長さはＰ個の前記プリアンブル信号シンボルの長さ以上であり、又は、プリアンブル信号を送信する時間の長さはＰ個のダウンリンク信号シンボルの長さ以上であり、又は、プリアンブル信号を送信する時間の長さはＱ個の前記プリアンブル信号シンボルの情報セクション部の長さ以上であり、Ｐは正整数、Ｑは２以上の正整数である。
【０１１４】
好ましくは、プリアンブル信号を送信する終了時刻は１個のダウンリンク信号シンボルの終了時刻であってもよい。
【０１１５】
好ましくは、プリアンブル信号を送信する時間の長さはＲ個のダウンリンク信号シンボルの長さ以下であり、Ｒは正整数、そして、プリアンブル信号を送信する時間の長さがＰ個のダウンリンク信号シンボルの長さ以上である場合、ＲはＰより大きい。
【０１１６】
好ましくは、Ｐ値、Ｑ値又はＲ値は事前に定義されてもよく、又はネットワークデバイスがＲＲＣシグナリング、物理層シグナリング及びＭＡＣ層シグナリングのいずれかにより端末デバイスに送信されてもよい。
【０１１７】
図７のケース１を例として説明すると、ケース１に示すプリアンブル信号シンボルの形式において、第１時刻はチャネル検出に成功した時刻に基づいてダウンリンク信号シンボル＃ｎのうち３番目のプリアンブル信号シンボルのＣＰ部の開始時刻に決定される時、Ｐが２個のプリアンブル信号シンボルの長さ、Ｒが１個のダウンリンク信号シンボルの長さである場合、プリアンブル信号を送信する時間は第１時刻からシンボル＃ｎの終了時刻までであり、Ｐが１個のダウンリンク信号シンボルの長さ、Ｒが２個のダウンリンク信号シンボルの長さである場合、プリアンブル信号を送信する時間は第１時刻からシンボル＃（ｎ＋１）の終了時刻までであり、即ち、チャネル検出に成功した時刻からシンボル＃（ｎ＋１）の開始時刻までの間の時間間隔が１個のダウンリンク信号シンボルの長さより小さい場合、ネットワークデバイスはシンボル＃（ｎ＋１）においてプリアンブル信号の伝送を継続する必要がある。
【０１１８】
図７のケース２を例として説明すると、ケース２に示すプリアンブル信号シンボルの形式において、プリアンブル信号シンボルの長さはダウンリンク信号シンボルの長さに等しく、第１時刻はチャネル検出に成功した時刻であり、Ｑが２個のプリアンブル信号シンボルの情報セクション部の長さ、Ｒが１個のダウンリンク信号シンボルの長さである場合、プリアンブル信号を送信する時間は第１時刻からシンボル＃ｎの終了時刻までであり、Ｐが１個のダウンリンク信号シンボルの長さ又は１個のプリアンブル信号シンボルの長さ、Ｒが２個のダウンリンク信号シンボルの長さである場合、プリアンブル信号を送信する時間は第１時刻からシンボル＃（ｎ＋１）の終了時刻までであり、即ち、チャネル検出に成功した時刻からシンボル＃（ｎ＋１）の開始時刻までの間の時間間隔が１個のダウンリンク信号シンボルの長さより小さい場合、ネットワークデバイスはシンボル＃（ｎ＋１）においてプリアンブル信号の伝送を継続する必要がある。
【０１１９】
好ましくは、プリアンブル信号がＮ種のシーケンスを含む場合、プリアンブル信号を送信する時間の長さは２＊Ｎ個の情報セクション部の長さ以上であり、又はプリアンブル信号を送信する時間の長さはＮ個のプリアンブル信号シンボル（ＣＰを有するプリアンブル信号シンボル）の長さ以上であり、又はプリアンブル信号を送信する時間の長さはＮ個のダウンリンク信号シンボルの長さ以上であり、Ｎは正整数である。
【０１２０】
好ましくは、プリアンブル信号を伝送する時間の長さは固定長さであり、プリアンブル信号がＮ種のシーケンスを含む時、プリアンブル信号の伝送長さはＳ＊Ｎ個のプリアンブル信号シンボル、又はプリアンブル信号の伝送長さはＳ＊Ｎ個のダウンリンク信号シンボル、又はプリアンブル信号の伝送長さは（Ｓ＋１）＊Ｎ個の情報セクションであり、Ｓは正整数である。
【０１２１】
好ましくは、ネットワークデバイスはプリアンブル信号の送信が終了した後、第２時刻からチャネル検出に成功したチャネルにおいてダウンリンク信号を送信する。
【０１２２】
一部の場合において、ネットワークデバイスはプリアンブル信号の送信が終了した後、続いて端末デバイスにダウンリンク信号を送信することができる。この時、第２時刻はプリアンブル信号の送信終了時刻である。
【０１２３】
別の場合において、ネットワークデバイスはプリアンブル信号の送信が終了した後、続いてダウンリンク信号を送信せず、端末デバイスがプリアンブル信号の応答信号を送信することを待機する。ネットワークデバイスが端末デバイスから送信したプリアンブル信号の応答信号を受信した後、端末デバイスにダウンリンク信号を送信する。ネットワークデバイスが端末デバイスから送信されるプリアンブル信号の応答信号を受信していない場合、ネットワークデバイスはダウンリンク信号を送信しなくてもよい。
【０１２４】
上記はプリアンブル信号の時間領域特徴を説明しており、以下、プリアンブル信号の周波数領域特徴を説明する。
【０１２５】
プリアンブル信号のシーケンスの長さがＭである場合、プリアンブル信号のシーケンスは周波数領域において第１帯域幅上のＭ個のサブキャリアにマッピングすることができ、Ｍは正整数である。
【０１２６】
好ましくは、Ｍ値は事前に設定される。
【０１２７】
好ましくは、第１帯域幅はネットワークデバイスが端末デバイスに設定されたダウンリンク信号の伝送に用いられる帯域幅であり、又は、第１帯域幅はネットワークデバイスが端末デバイスに設定されアクティブ化したダウンリンク信号の伝送に用いられる帯域幅である。
【０１２８】
好ましくは、第１帯域幅の大きさはサブバンドチャネル検出帯域幅の整数倍であってもよく、例えば、サブバンドチャネル検出帯域幅は２０ＭＨｚであり、第１帯域幅の大きさは２０ＭＨｚ、４０ＭＨｚ、６０ＭＨｚ、８０ＭＨｚ等であってもよい。ただし、サブバンドチャネル検出帯域幅はチャネル検出に用いられる単位帯域幅である。プリアンブル信号は大きさが第１帯域幅である各帯域幅において伝送することができ、即ちアンライセンスバンドの周波数領域は第１帯域幅の大きさに基づいて複数の帯域幅に分割される場合、プリアンブル信号は各分割後の帯域幅において伝送される。
【０１２９】
本願の実施例はプリアンブル信号のシーケンスが第１帯域幅上のＭ個のサブキャリアにマッピングされるマッピング方法に対して具体的に限定しない。例として、プリアンブル信号のシーケンス要素は周波数領域において第１帯域幅上のＭ個の連続的なサブキャリアにマッピングされる。別の例として、プリアンブル信号のシーケンス要素は周波数領域において第１帯域幅上のＭ個の離散したサブキャリアにマッピングされる。
【０１３０】
好ましくは、該プリアンブル信号のシーケンスの周波数領域においてマッピングされる開始位置は事前に設定され、又はネットワークデバイスがシグナリングにより端末デバイスに指示される。
【０１３１】
理解すべきことは、プリアンブル信号が複数のシーケンスを含む場合、該複数のシーケンスはそれぞれ第１帯域幅の異なるシンボルにマッピングされてもよい。
【０１３２】
好ましくは、Ｍ個のサブキャリアは第１帯域幅の全帯域幅、中央帯域幅又は事前に定義された帯域幅を占有してもよい。
【０１３３】
好ましくは、プリアンブル信号のシーケンスは周波数領域において第１帯域幅上のＭ個の離散したサブキャリアにマッピングすることができる。好ましくは、該Ｍ個の離散したサブキャリアの周波数領域におけるマッピング位置は事前に設定され、又は、該Ｍ個の離散したサブキャリアの任意の隣接する２個のサブキャリアの間の距離は等しく、且つ該距離の大きさは事前に設定される。好ましくは、第１帯域幅において前記プリアンブル信号のシーケンスがマッピングされたＭ個のサブキャリアを除いたその他のサブキャリアには信号をマッピングしない。このようなマッピング方法により、プリアンブル信号の時間領域における表現形態は情報セクションの重複であり、プリアンブル信号のサブキャリア間隔に対応するシンボル長さよりも短いプリアンブル信号の情報セクションを生成することができる。例えば、プリアンブル信号のサブキャリア間隔が１５ｋＨｚ、対応するシンボル長さが１／１５ｋＨｚ＝６６．７マイクロ秒、プリアンブル信号のシーケンス要素がサブキャリアにマッピングされた時に隣接する２個のサブキャリアの間の距離がｋ（例えば、ｋ＝４）個のサブキャリアである場合、プリアンブル信号の時間領域における表現形態は６６．７マイクロ秒内にｋ個（即ち４個）の重複したプリアンブル信号の情報セクションを含むことである。プリアンブル信号の情報セクション部の長さが短いため、端末デバイスの処理の複雑度を低減させることができる。
【０１３４】
好ましくは、プリアンブル信号のシーケンスは周波数領域において第１帯域幅のＭ個の連続的なサブキャリアにマッピングすることができる。好ましくは、第１帯域幅において前記プリアンブル信号のシーケンスがマッピングされたＭ個のサブキャリアを除いたその他のサブキャリアには信号をマッピングしない。このようなマッピング方法により、端末デバイスはプリアンブル信号を検出する時、周波数領域に変換してから処理する必要がなく、時間領域に直接処理することができ、それにより端末デバイスの処理の複雑度を低減させることができる。また、プリアンブル信号の伝送のために大きいサブキャリア間隔を選択する（例えば、プリアンブル信号のサブキャリア間隔がダウンリンク信号のサブキャリア間隔より大きい）場合も、短いプリアンブル信号の情報セクション部を取得することができ、それにより端末デバイスの処理の複雑度をさらに低減させることができる。
【０１３５】
以下、図８〜図９に合わせて、プリアンブル信号のシーケンスのマッピング方法を説明する。
【０１３６】
図８はプリアンブル信号が１つのシーケンスを含む場合、プリアンブル信号の周波数領域におけるマッピング方法を示す図である。
【０１３７】
例として、プリアンブル信号のサブキャリア間隔はダウンリンク信号のサブキャリア間隔に等しく、プリアンブル信号のシーケンスは周波数領域において第１帯域幅のＭ個の離散したサブキャリアにマッピングされる。例えば、プリアンブル信号とダウンリンク信号はいずれも第１帯域幅において伝送され、プリアンブル信号はシンボル＃ｎにおいて伝送され、ダウンリンク信号はシンボル＃（ｎ＋１）において伝送される。プリアンブル信号のシーケンス長さは８であり、該プリアンブル信号は第１帯域幅の８個のサブキャリアにマッピングされ、該８個のサブキャリアは離散したサブキャリアであってもよく、図８のタイプ１に示すように、該８個のサブキャリアの各隣接する２個のサブキャリアの間に４個のサブキャリアの距離を間隔する。
【０１３８】
好ましくは、該８個のサブキャリアは第１帯域幅の中央位置に分布されてもよく、第１帯域幅の全帯域幅に分布されてもよく、又は事前に定義されたサブキャリアに分布されてもよい。ただし、第１帯域幅に分布された全帯域幅は該８個のサブキャリアが均一又は等間隔に第１帯域幅に分布されていることを指してもよい。
【０１３９】
例として、プリアンブル信号のサブキャリア間隔はダウンリンク信号のサブキャリア間隔より大きく、プリアンブル信号のシーケンスは周波数領域において第１帯域幅のＭ個の連続的なサブキャリアにマッピングされる。例えば、プリアンブル信号とダウンリンク信号はいずれも第１帯域幅において伝送され、プリアンブル信号はシンボル＃ｎにおいて伝送され、ダウンリンク信号はシンボル＃（ｎ＋１）において伝送される。プリアンブル信号のサブキャリア間隔の大きさはダウンリンク信号のサブキャリア間隔の大きさの４倍に等しく、シンボル＃ｎの長さは４個のプリアンブル信号シンボルの長さに等しく、プリアンブル信号は各シンボルにおいて伝送される。
【０１４０】
プリアンブル信号のシーケンス長さは８であり、該プリアンブル信号は第１帯域幅の８個のサブキャリアにマッピングされ、該８個のサブキャリアは連続的なサブキャリアであってもよい。図８のタイプ２に示すように、４個のプリアンブル信号シンボルにおけるそれぞれのプリアンブル信号シンボルの８個のサブキャリアにはいずれもプリアンブル信号のシーケンス要素がマッピングされる。
【０１４１】
好ましくは、該８個のサブキャリアは第１帯域幅の中央位置に分布されてもよく、第１帯域幅の全帯域幅に分布されてもよく、又は事前に定義されたキャリアに分布されてもよい。ただし、第１帯域幅に分布された全帯域幅は該８個のサブキャリアが均一又は等間隔に第１帯域幅に分布されていることを指してもよい。
【０１４２】
例として、プリアンブル信号のサブキャリア間隔はダウンリンク信号のサブキャリア間隔に等しく、プリアンブル信号のシーケンスは周波数領域において第１帯域幅のＭ個の連続的なサブキャリアにマッピングされる。例えば、プリアンブル信号のサブキャリア間隔とダウンリンク信号のサブキャリア間隔がいずれも６０ｋＨｚである場合、プリアンブル信号のシーケンスマッピングは連続的なサブキャリアマッピングの方式を用いる場合でも短いプリアンブル信号シンボルの情報セクション部を取得することができる。
【０１４３】
例として、プリアンブル信号のサブキャリア間隔はダウンリンク信号のサブキャリア間隔より小さく、プリアンブル信号のシーケンスは周波数領域において第１帯域幅のＭ個の離散したサブキャリアにマッピングされる。この場合、短いプリアンブル信号シンボルの情報セクション部を取得する目的を達成するために、プリアンブル信号のシーケンス要素が周波数領域にマッピングされる時の間隔を大きくしてもよい。例えば、プリアンブル信号のサブキャリア間隔は３０ｋＨｚ、ダウンリンク信号のサブキャリア間隔は６０ｋＨｚである場合、プリアンブル信号のシーケンスが周波数領域において第１帯域幅の離散したサブキャリアにマッピングされる時に隣接する２個のマッピングされたサブキャリアの間の距離はダウンリンク信号のサブキャリア間隔以上であってもよく（例えば、距離は２個の３０ｋＨｚのサブキャリアである）、それにより短いプリアンブル信号シンボルの情報セクション部を取得することができる。
【０１４４】
理解すべきことは、プリアンブル信号が複数のシーケンスを含む場合、各シーケンスの周波数領域におけるマッピング方法はいずれも上記周波数領域マッピング方法のうち１つを用いることができる。複数のシーケンスの周波数領域におけるマッピング方法は同じであってもよく、異なってもよい。本願はこれらに対して限定しない。
【０１４５】
図９はプリアンブル信号が２つのシーケンスを含む場合、プリアンブル信号の周波数領域におけるマッピング方法を示す図である。
【０１４６】
例として、プリアンブル信号は第１シーケンスと第２シーケンスを含み、第１シーケンスはシンボル＃ｎにおいて伝送され、第２シーケンスはシンボル＃（ｎ＋１）において伝送され、ダウンリンク信号はシンボル＃（ｎ＋２）において伝送される。
【０１４７】
第１シーケンスのシンボル＃ｎの第１帯域幅におけるマッピング方法及び第２シーケンスのシンボル＃（ｎ＋１）の第１帯域幅におけるマッピング方法と、図８に示すタイプ１のマッピング方法とは、タイプが同じであり、簡素化するために、ここで詳しい説明を省略する。
【０１４８】
好ましくは、第１シーケンスと第２シーケンスは同じサブキャリアにマッピングされてもよく、異なるサブキャリアにマッピングされてもよい。図９のタイプ１に示すように、これは第１シーケンスと第２シーケンスが異なるサブキャリアにマッピングされるケースであり、第１シーケンスと第２シーケンスがマッピングされたサブキャリアは２個のサブキャリアずれてもよい。
【０１４９】
例として、タイプ２において、プリアンブル信号のサブキャリア間隔がダウンリンク信号のサブキャリア間隔より大きいため、第１シーケンスと第２シーケンスはいずれもシンボル＃ｎに伝送することができる。シンボル＃ｎは４個のプリアンブル信号シンボルを含み、第１シーケンスと第２シーケンスはシンボルｎにおいて交互に伝送することができ、即ち４個のプリアンブル信号シンボルは順に第１シーケンス、第２シーケンス、第１シーケンス、第２シーケンスを伝送し、又は４個のプリアンブル信号シンボルは順に第２シーケンス、第１シーケンス、第２シーケンス、第１シーケンスを伝送する。
【０１５０】
又は、第１シーケンスと第２シーケンスは順に伝送することができ、第１シーケンスと第２シーケンスの伝送順位は、１つのシーケンスを伝送してからに別のシーケンスを伝送することである。４個のプリアンブル信号シンボルは順に第１シーケンス、第１シーケンス、第２シーケンス、第２シーケンスを伝送することができ、又は４個のプリアンブル信号シンボルは順に第２シーケンス、第２シーケンス、第１シーケンス、第１シーケンスを伝送することができる。
【０１５１】
チャネル検出に成功した時刻がシンボル＃ｎの２番目のプリアンブル信号シンボルの開始時刻であると仮定し、第１シーケンスと第２シーケンスの交互伝送の方法を用いてシンボル＃ｎにおいて完全な第１シーケンスと第２シーケンスを伝送することができ、この時にネットワークデバイスはシンボル＃（ｎ＋１）においてダウンリンク信号を直接伝送することができ、チャネル検出に成功した時刻とダウンリンク信号の伝送との間の時間間隔を短縮することができ、通信システムの伝送効率の向上に役立つ。
【０１５２】
説明すべきことは、図９は第１シーケンスと第２シーケンスの長さが等しい場合を示しているが、本願の実施例はこれらに限らず、第１シーケンスと第２シーケンスの長さは異なってもよい。
【０１５３】
図８及び図９において、タイプ１に示す８個の離散したサブキャリアのマッピング方法はタイプ２に示す８個の連続的なサブキャリアのマッピング効果を達成することができる。タイプ２のプリアンブル信号シンボルに対応するサブキャリアの大きさは４個のタイプ１のプリアンブル信号シンボルに対応するサブキャリアの大きさに等しく、タイプ１のプリアンブル信号シンボルの長さは４個のタイプ２のプリアンブル信号シンボルの長さに等しい。同じプリアンブル信号がタイプ２の４個のプリアンブル信号シンボルのＭ個の連続的なサブキャリアにマッピングされる時、プリアンブル信号がタイプ１の１つのプリアンブル信号シンボルのＭ個の離散したサブキャリアにマッピングされて伝送する効果を達成することができる。
【０１５４】
また、図８及び図９は例示的にプリアンブル信号がマッピングする第１帯域幅の大きさを示しており、実際には第１帯域幅に含まれたサブキャリアの数は実際の状況に応じて決定される。
【０１５５】
好ましくは、プリアンブル信号の１つのシーケンスが複数の候補シーケンスを含む場合、該複数の候補シーケンスの間は互いに直交してもよい。
【０１５６】
好ましくは、プリアンブル信号のシーケンスはプライマリ同期信号（ｐｒｉｍａｒｙ  ｓｙｎｃｈｒｏｎｉｚａｔｉｏｎ  ｓｉｇｎａｌ、ＰＳＳ）のシーケンス、及び／又は、セカンダリ同期信号（ｓｅｃｏｎｄａｒｙ  ｓｙｎｃｈｒｏｎｉｚａｔｉｏｎ  ｓｉｇｎａｌ、ＳＳＳ）のシーケンスであってもよく、このようにＰＳＳシーケンス及び／又はＳＳＳシーケンスを再利用する目的を達成することができる。
【０１５７】
好ましくは、プリアンブル信号のシーケンスはＺａｄｏｆｆ−Ｃｈｕ（ＺＣ）シーケンスのような、その他の新しく導入されるシーケンスであってもよい。該ＺＣシーケンスはコミュニティアイデンティティ（ｉｄｅｎｔｉｔｙ、ＩＤ）スクランブリングを用いてスクランブルすることができ、端末デバイスはプリアンブル信号を受信した後に該コミュニティのネットワークデバイスが該アンライセンスバンドのチャネルの使用権を取得することを決定できる。
【０１５８】
好ましくは、プリアンブル信号のシーケンスはコミュニティパブリック、グループパブリック又は端末デバイス固有のものである。
【０１５９】
好ましくは、プリアンブル信号において伝送される信号は元の情報ビットをエンコードした後に取得するデータビットを含み、ただし、該データビットを変調した後の周波数領域におけるマッピング方法は上記シーケンスの周波数領域におけるマッピング方法のうち１つである。
【０１６０】
好ましくは、プリアンブル信号は、コミュニティＩＤ、公衆陸上モバイルネットワーク（ｐｕｂｌｉｃ  ｌａｎｄ  ｍｏｂｉｌｅ  ｎｅｔｗｏｒｋ、ＰＬＭＮ）ＩＤ、送信リクエスト（ｒｅｑｕｅｓｔ  ｔｏ  ｓｅｎｄ、ＲＴＳ）標識、送信クリア（ｃｌｅａｒ  ｔｏ  ｓｅｎｄ、ＣＴＳ）標識、時間領域における前記ダウンリンク信号の位置とチャネル占有時間のうち少なくとも１つの情報を携帯する。
【０１６１】
好ましくは、端末デバイスはアンライセンスバンドにおいてプリアンブル信号を検出した後、事前に定義された規則に基づいてダウンリンク信号（例えば、ＰＤＣＣＨ又はＰＤＳＣＨ）を受信する。
【０１６２】
好ましくは、ダウンリンク信号の時間領域における位置は端末デバイスがプリアンブル信号を受信した後、プリアンブル信号の携帯する情報に基づいて対応する位置にダウンリンク信号（例えば、ＰＤＣＣＨ又はＰＤＳＣＨ）を受信することを表示することができる。
【０１６３】
好ましくは、プリアンブル信号のアンテナポートは全方向アンテナポートであってもよく、指向性アンテナポートであってもよい。
【０１６４】
例えば、チャネル検出が無指向性チャネル検出である時、プリアンブル信号の送信に用いられるアンテナポートは全方向アンテナポート又は指向性アンテナポートであってもよい。また、例えば、チャネル検出が指向性チャネル検出である時、プリアンブル信号の送信に用いられるアンテナポートは前記指向性チャネル検出に対応する方向における指向性アンテナポートである。
【０１６５】
好ましくは、前記プリアンブル信号の送信に用いられるアンテナポートは同期信号ブロック（ｓｙｎｃｈｒｏｎｉｚａｔｉｏｎ  ｓｉｇｎａｌ  ｂｌｏｃｋ、ＳＳＢ）の送信に用いられるアンテナポートと同じである。
【０１６６】
好ましくは、プリアンブル信号と時間領域においてプリアンブル信号の後に位置するＳＳＢ又はダウンリンク信号とはＱＣＬである。即ち、プリアンブル信号に対応する送信又は受信ビーム及び／又はポートに基づいてＳＳＢ又はダウンリンク信号に対応する送信又は受信ビーム及び／又はポートを推定することができ、又は、ＳＳＢ又はダウンリンク信号に対応する送信又は受信ビーム及び／又はポートに基づいてプリアンブル信号に対応する送信又は受信ビーム及び／又はポートを推定することができる。
【０１６７】
プリアンブル信号の伝送パラメータは、ＲＲＣ構成、物理ブロードキャストチャネル（ｐｈｙｓｉｃａｌ  ｂｒｏａｄｃａｓｔ  ｃｈａｎｎｅｌ、ＰＢＣＨ）及び残存最小システム情報（ｒｅｍａｉｎｉｎｇ  ｍｉｎｉｍｉｚｅｄ  ｓｙｓｔｅｍ  ｉｎｆｏｒｍａｔｉｏｎ、ＲＭＳＩ）のうち１つにより端末デバイスに指示することができる。
【０１６８】
好ましくは、プリアンブル信号の伝送パラメータの指示方法は物理ランダムアクセスチャネル（ｐｈｙｓｉｃａｌ  ｒａｎｄｏｍ  ａｃｃｅｓｓ  ｃｈａｎｎｅｌ、ＰＲＡＣＨ）の伝送パラメータの指示方法と同じである。
【０１６９】
好ましくは、ライセンス補助アクセス（ｌｉｃｅｎｓｅ  ａｓｓｉｓｔｅｄ  ａｃｃｅｓｓ、ＬＡＡ）の場合、プリアンブル信号の伝送パラメータはライセンスバンドのキャリアにより端末デバイスに指示することができる。
【０１７０】
ここで、プリアンブル信号の伝送パラメータは上記説明したプリアンブル信号の時間領域特徴、周波数領域特徴、シーケンス特徴、アンテナポート及び構成等のパラメータを含むことができるが、これらに限定されない。
【０１７１】
好ましくは、本願の実施例は端末デバイスのＡＧＣ調整に役立ち、端末デバイスがプリアンブル信号を受信する受信電力とダウンリンク信号を受信する受信電力との間に一定の関係がある。具体的には、端末デバイスはネットワークデバイスから送信されたプリアンブル信号を受信した後、プリアンブル信号の受信に用いられる受信電力に基づいて、自己適応的にダウンリンク信号の受信電力を調整することができる。
【０１７２】
そのため、本願の実施例は現在のキャリアがダウンリンク信号の伝送に適用できることを決定するプリアンブル信号を送信することによって、端末のダウンリンク信号に対するブラインド検出の複雑度を低減させ、端末デバイスを簡単化し、消費電力を削減することができる。
【０１７３】
図１０は本願の実施例により提供される別の無線通信方法の概略フローチャートである。図１０の方法は以下の内容のうち少なくとも一部の内容を含む。
【０１７４】
ステップ１０１０において、アンライセンスバンドのキャリアにおいてプリアンブル信号を検出する。
【０１７５】
ステップ１０２０において、プリアンブル信号の検出に成功した場合、前記キャリアにおいてダウンリンク信号を受信する。
【０１７６】
ダウンリンク信号は例えばＰＤＣＣＨ又はＰＤＳＣＨであってもよい。
【０１７７】
端末デバイスはプリアンブル信号を正しく受信し、復調できる場合、プリアンブル信号の検出に成功したことを表す。
【０１７８】
好ましくは、ステップ１０２０は、さらに、プリアンブル信号の検出に成功した場合、第１時刻から前記キャリアにおいてダウンリンク信号を受信することを含むことができる。
【０１７９】
本願の実施例において、プリアンブル信号の送信に用いられるシンボルをプリアンブル信号シンボルと呼ぶことができる。
【０１８０】
実際にプリアンブル信号の伝送に用いられるシンボルが完全なシンボルを用いるとは限らず、シンボルの一部を用いてプリアンブル信号を伝送してもよい。
【０１８１】
例えば、プリアンブル信号が該２個のプリアンブル信号シンボルにおいて伝送すると仮定し、実際にプリアンブル信号を伝送する時間の長さは１．５個のプリアンブル信号シンボルの長さのみであり、即ちそのうち１個のシンボルはハーフシンボルのみを占めてもよい。
【０１８２】
第１時刻の決定方法は複数ある。例として、第１時刻は候補時刻セットのうち１つの時刻であってもよい。例えば、事前に時間長さに複数の候補時刻を設定し、複数の候補時刻のうち１つの候補時刻を第１時刻とする。複数の候補時刻のうち任意の２つの隣接する候補時刻の間の時間間隔は等しくてもよく、逓増又は逓減であってもよく、本願の実施例はこれらに対して具体的に限定しない。
【０１８３】
別の例として、第１時刻はプリアンブル信号シンボル内の任意の１つの時刻であってもよい。
【０１８４】
別の例として、第１時刻はプリアンブル信号シンボルの形式に基づいて決定される時刻であってもよい。
【０１８５】
好ましくは、端末デバイスは事前にプリアンブル信号シンボルの形式を取得し、その後にプリアンブル信号シンボルの形式に基づいて第１時刻を決定することができる。
【０１８６】
説明すべきことは、本願の実施例における候補時刻はプリアンブル信号シンボルの形式に基づいて決定される時刻であってもよい。
【０１８７】
プリアンブル信号シンボルはプリアンブル信号の伝送に用いられ、プリアンブル信号シンボルは、例えば、ＣＰ部と情報セクション部を含んでもよく、情報セクション部は、例えば、ネットワークデバイスが送信するデータ部であってもよい。ただし、プリアンブル信号のＣＰ部は情報セクション部のテール部の内容であってもよい。
【０１８８】
好ましくは、プリアンブル信号シンボルの形式は、プリアンブル信号シンボルに含まれる情報セクション部の数、プリアンブル信号シンボルの数、情報セクション部とＣＰ部との位置関係、ＣＰ部の長さ、情報セクション部の長さ及びプリアンブル信号シンボルのサブキャリア間隔のうち少なくとも１つを指示することができる。
【０１８９】
プリアンブル信号シンボルの形式は複数あってもよく、１つあってもよい。好ましくは、プリアンブル信号シンボルの形式が複数ある場合、ネットワークデバイスは高層シグナリング又は物理層シグナリングにより端末デバイスが現在、該複数のプリアンブル信号シンボルの形式のどちらを用いるかを指示する。
【０１９０】
例として、一形式のプリアンブル信号シンボルに対して、プリアンブル信号シンボルは１個の第１ＣＰ部と１個の情報セクション部を含み、各情報セクション部はいずれも単独の第１ＣＰ部を有する。
【０１９１】
別の例として、一形式のプリアンブル信号シンボルに対して、プリアンブル信号シンボルは１個の第２ＣＰ部とＭ個の情報セクション部を含み、Ｍ個の情報セクション部は１個の第２ＣＰ部を共有し、Ｍは２以上の正整数である。ただし、即ち該Ｍ個の情報セクションは繰り返し送信する（即ち、該Ｍ個の情報セクションのそれぞれの情報セクションに送信する信号はいずれも同じである）。
【０１９２】
例として、第２ＣＰ部の長さは第１ＣＰ部の長さより大きい。
【０１９３】
例として、第２ＣＰ部の長さはＭ個の第１ＣＰ部の長さである。
【０１９４】
以下、プリアンブル信号シンボルの形式に基づいて第１時刻を決定する方法を説明する。
【０１９５】
例えば、第１時刻は情報セクション部の開始時刻であってもよく、ＣＰ部の開始時刻であってもよく、プリアンブル信号シンボルの開始時刻であってもよい。
【０１９６】
理解すべきことは、前述のとおり、第１時刻はプリアンブル信号シンボルの形式に基づいて決定される時刻であってもよいことを説明するが、理解すべきことは、本願の実施例はこれに限定されるものではない。
【０１９７】
プリアンブル信号のサブキャリア間隔の決定方法は複数あってもよい。以下、プリアンブル信号のサブキャリア間隔の決定方法を説明し、本願の実施例はプリアンブル信号シンボルに対応するサブキャリア間隔を第１サブキャリア間隔と呼ぶことができる。
【０１９８】
例として、第１サブキャリア間隔はダウンリンク信号に対応するサブキャリア間隔に等しくてもよい。即ちシステムにおいて、プリアンブル信号のサブキャリア間隔がダウンリンク信号のサブキャリア間隔に等しいことを約束することができ、端末デバイスがダウンリンク信号のサブキャリア間隔を取得した後、プリアンブル信号のサブキャリア間隔がダウンリンク信号のサブキャリア間隔に等しいことを直接決定することができる。
【０１９９】
別の例として、第１サブキャリア間隔は、ＲＲＣシグナリング、物理層シグナリング、ＭＡＣ層シグナリングのうち少なくとも１つのシグナリングにより指示されるサブキャリア間隔であってもよい。
【０２００】
別の例として、第１サブキャリア間隔は事前に定義されたサブキャリア間隔であってもよい。例えば、第１サブキャリア間隔は標準仕様に規定されているサブキャリア間隔であってもよい。
【０２０１】
第１時刻はダウンリンク信号シンボル（即ち、ＰＤＣＣＨ又はＰＤＳＣＨ等のダウンリンクシンボルの伝送に用いることができる）の形式に基づいて決定されてもよい。例えば、ダウンリンク信号シンボルの開始時刻に合わせた時刻を第１時刻として決定してもよい。ここで言及されるダウンリンク信号シンボルの開始時刻はダウンリンク信号のサブキャリア間隔に対応するダウンリンク信号シンボルの開始時刻を指し、ただし、ダウンリンク信号のサブキャリア間隔は、実際に伝送されるダウンリンク信号のサブキャリア間隔であってもよく、ネットワークデバイスが無線リソース制御ＲＲＣシグナリング、物理層シグナリング、ＭＡＣ層シグナリングのうち少なくとも１つにより指示されたダウンリンク信号の伝送に用いられるサブキャリア間隔であってもよく、さらに事前に定義されたサブキャリア間隔であってもよい。
【０２０２】
好ましくは、プリアンブル信号のサブキャリア間隔（即ち第１サブキャリア間隔）はダウンリンク信号のサブキャリア間隔以上であってもよく、又はプリアンブル信号シンボルの長さはダウンリンク信号シンボルの長さ以下であってもよい。
【０２０３】
ＮＲシステムを例として、ＮＲシステムはＬＴＥシステムに比べて、より大きいサブキャリア間隔をサポートすることができ、サブキャリア間隔の構成も多様化である。例えば、ＮＲシステムのサポート可能なサブキャリア間隔は１５ｋＨｚ、３０ｋＨｚ、６０ｋＨｚ等を含む。システムのサブキャリア間隔が大きいほど、システムが信号を伝送するためのシンボルが短くてもよい。
【０２０４】
これに基づいて、ダウンリンク信号（例えば、ＰＤＳＣＨ又はＰＤＣＣＨ）に対して毎回ブラインド検出を行う場合、端末の複雑度を増加させて消費電力を増加させる。本願の実施例は現在のキャリアがダウンリンク信号の伝送に適用できることを決定するプリアンブル信号を送信することによって、端末のダウンリンク信号に対するブラインド検出の複雑度を低減させ、端末デバイスを簡単化し、消費電力を削減することができる。
【０２０５】
以下、図３〜図６に合わせて、プリアンブル信号シンボルの形式及び第１時刻の決定方法を詳しく説明する。図３〜図６において、プリアンブル信号のサブキャリア間隔の大きさが４個のダウンリンク信号のサブキャリア間隔の大きさに等しいことを例として説明する。
【０２０６】
説明すべきことは、図３〜図６において、時間の長さに対する分割はダウンリンク信号シンボルの長さに基づいて分割することができ、即ちシンボル＃ｎとシンボル＃（ｎ＋１）の長さはいずれも１つのダウンリンク信号シンボルの長さに等しい。
【０２０７】
好ましくは、プリアンブル信号シンボルの形式は図３に示すように、１個のプリアンブル信号シンボルは１個のＣＰ部と１個の情報セクション部を含み、各情報セクション部はいずれも単独のＣＰ部を有し、該プリアンブル信号シンボルはＣＰを有するプリアンブル信号シンボルと呼ぶこともできる。シンボル＃ｎは４個のプリアンブル信号シンボルを含み、即ち１個のダウンリンク信号シンボルの長さは４個のプリアンブル信号シンボルの長さに等しい。好ましくは、該４個のプリアンブル信号シンボルの最後３個のプリアンブル信号シンボルのＣＰの長さは同じであり、且つ最初のプリアンブル信号シンボルのＣＰの長さより小さく、又は、該４個のプリアンブル信号シンボルのそれぞれのプリアンブル信号シンボルのＣＰの長さは同じである。
【０２０８】
図３において、端末デバイスがＣＰ部の開始時刻又はプリアンブル信号シンボルの開始時刻を第１時刻として選択する場合、第１時刻は任意のＣＰ部の開始時刻（図３の↓に示す時刻）であってもよい。端末デバイスは任意のＣＰ部の開始時刻からプリアンブル信号を検出することができる。端末デバイスがダウンリンク信号シンボルの開始時刻を第１時刻として選択する場合、第１時刻は最初のプリアンブル信号シンボルのＣＰ部の開始時刻（即ち図３の１番目の↓に示す時刻）であってもよい。端末デバイスは１つのダウンリンク信号シンボルの開始時刻からプリアンブル信号を検出することができる。
【０２０９】
好ましくは、プリアンブル信号シンボルの形式は図４に示すように、１個のプリアンブル信号シンボルは１個のＣＰ部と４個の情報セクション部を含み、該４個の情報セクション部は１個のＣＰ部を共有する。１個のプリアンブル信号シンボルの長さはシンボル＃ｎの長さに等しく、即ち１個のプリアンブル信号シンボルの長さは１個のダウンリンク信号シンボルの長さに等しい。１個のダウンリンク信号シンボルの情報セクションの長さは４個のプリアンブル信号シンボルの情報セクションの長さに等しい。理解すべきことは、ダウンリンク信号シンボル＃ｎのＣＰの長さとダウンリンク信号シンボル＃（ｎ＋１）のＣＰの長さは同じであってもよく、異なってもよい（例えば、シンボル＃ｎがタイムスロット内の最初のシンボル又は７番目のシンボルである場合、シンボル＃ｎのＣＰの長さはシンボル＃（ｎ＋１）のＣＰの長さより大きい）。
【０２１０】
図４において、端末デバイスが情報セクション部の開始時刻又はＣＰ部の開始時刻を第１時刻として選択する場合、第１時刻はＣＰ部の開始時刻又は４個の情報セクション部における１個の情報セクション部の開始時刻（図４の↓に示す時刻）であってもよい。端末デバイスはＣＰ部の開始時刻又は４個の情報セクション部における１個の情報セクション部の開始時刻からプリアンブル信号を検出することができる。端末デバイスがプリアンブル信号シンボルの開始時刻又はダウンリンク信号シンボルの開始時刻を第１時刻として選択する場合、第１時刻はプリアンブル信号シンボルの開始時刻（図４の１番目の↓に示す時刻）であってもよい。端末デバイスはプリアンブル信号シンボルの開始時刻からプリアンブル信号を検出することができる。
【０２１１】
説明すべきことは、本願の実施例は図４における１個のプリアンブル信号シンボルを１個のＣＰ部と４個の情報セクション部として理解し、当然ながら、プリアンブル信号シンボルに対してその他の理解があってもよい。例えば、いくつかのケースでは、図４における１個の情報セクションを１個のプリアンブル信号として理解してもよく、又は図４における２個の情報セクションを１個のプリアンブル信号として理解してもよく（即ちＣＰ部の長さと情報セクション部の長さは同じである）、プリアンブル信号シンボルに対する理解は本願を限定するものではない。
【０２１２】
好ましくは、プリアンブル信号シンボルの形式は図５に示すように、１個のプリアンブル信号シンボルは１個のＣＰ部と２個の情報セクション部を含み、２個の情報セクション部は１個のＣＰ部を共有する。シンボル＃ｎは２個のプリアンブル信号シンボルを含み、即ち２個のプリアンブル信号シンボルの長さは１個のダウンリンク信号シンボルの長さに等しい。
【０２１３】
図５において、端末デバイスが情報セクション部の開始時刻又はＣＰ部の開始時刻を第１時刻として選択する場合、第１時刻はＣＰ部の開始時刻又は４個の情報セクション部における１個の情報セクション部の開始時刻（図５の↓に示す時刻）であってもよい。端末デバイスがプリアンブル信号シンボルの開始時刻を第１時刻として選択する場合、第１時刻は２個のＣＰ部における１個のＣＰ部の開始時刻（図５の１番目の↓又は４番目の↓に示す時刻）であってもよい。端末デバイスがダウンリンク信号シンボルの開始時刻を第１時刻として選択する場合、第１時刻は最初のプリアンブル信号シンボルのＣＰ部の開始時刻（図５の１番目の↓に示す時刻）であってもよい。
【０２１４】
１個のダウンリンク信号シンボルの長さにおいて、上記説明した同じプリアンブル信号シンボルの形式を用いてプリアンブル信号を伝送する以外、異なるプリアンブル信号シンボルの形式を用いてプリアンブル信号を伝送してもよい。
【０２１５】
例として、１個のダウンリンク信号シンボルの長さにおいて、１個のダウンリンク信号シンボルは第１プリアンブル信号シンボルと第２プリアンブル信号シンボルを含み、ただし、第１プリアンブル信号シンボルは１個のＣＰ部と３個の情報セクション部を含み、第２プリアンブル信号シンボルは１個のＣＰ部と１個の情報セクション部を含む。この時、第１時刻は第１プリアンブル信号シンボルのＣＰ部の開始時刻、又は第１プリアンブル信号シンボルの情報セクション部の開始時刻、又は第２プリアンブル信号シンボルのＣＰ部の開始時刻であってもよい。
【０２１６】
別の例として、図６に示す４つのケースのとおり、各ケースに用いられるプリアンブル信号シンボルの形式は異なっている。例えば、ケース１の場合、１個のプリアンブル信号シンボルは１個のＣＰ部と４個の情報セクション部を含む。ケース２の場合、１個のプリアンブル信号シンボルは１個のＣＰ部と３個の情報セクション部を含む。ケース３の場合、１個のプリアンブル信号シンボルは１個のＣＰ部と２個の情報セクション部を含む。ケース４の場合、１個のプリアンブル信号シンボルは１個のＣＰ部と１個の情報セクション部を含む。
【０２１７】
端末デバイスは、事前に１個のダウンリンク信号シンボルに含まれるプリアンブル信号シンボルの異なる形式を取得することができ、異なる形式に基づいて第１時刻を決定し、即ちどの時刻からプリアンブル信号を検出するかを決定する。
【０２１８】
以下、図６に示す方法を詳しく説明する。
【０２１９】
端末デバイスは、事前にシンボル＃ｎを時間帯１、時間帯２、時間帯３及び時間帯４等のような複数の時間帯に分割し、各時間帯の開始時刻を第１時刻の候補時刻とすることができる。
【０２２０】
端末デバイスは任意の時間帯の開始時刻からプリアンブル信号を検出することを選択することができる。
【０２２１】
図６を例として、端末デバイスは時間帯１の開始時刻からシンボル＃ｎの終了時刻までの時間間隔内にプリアンブル信号を検出することができる。
【０２２２】
又は、端末デバイスは時間帯２の開始時刻からシンボル＃ｎの終了時刻までの時間間隔内にプリアンブル信号を検出することができる。
【０２２３】
又は、端末デバイスは時間帯３の開始時刻からシンボル＃ｎの終了時刻までの時間間隔内にプリアンブル信号を検出することができる。
【０２２４】
又は、端末デバイスは時間帯４の開始時刻からシンボル＃ｎの終了時刻までの時間間隔内にプリアンブル信号を検出することができる。
【０２２５】
第１時刻がダウンリンク信号シンボルの開始時刻である場合、端末デバイスが１つのダウンリンク信号シンボルの開始位置から該ダウンリンク信号シンボルの終了位置までプリアンブル信号を検出することを表示する。このように、異なる端末デバイスのプリアンブル信号を検出する時間の長さが等しいことを保証することができる。独立したネットワーク構成ＳＡの場合、端末デバイスの同期に役立つ。
【０２２６】
好ましくは、端末デバイスは上記説明した事前に設定された第１時刻からプリアンブル信号を検出する以外、さらにスライディングウィンドウ検出の方式によりプリアンブル信号を検出することができる。
【０２２７】
好ましくは、前記スライディングウィンドウ検出プロセスにおいて毎回処理する時間の長さはプリアンブル信号シンボルのうち１つの情報セクション部の長さである。このように、端末デバイスのプリアンブル信号に対する検出確率の向上に役立つ。
【０２２８】
好ましくは、毎回処理する時間の長さはタイムウィンドウの長さとも呼ぶことができ、端末デバイスはウィンドウの長さを１個のプリアンブル信号シンボルのうち１個の情報セクションの長さに設定してもよい。
【０２２９】
端末デバイスが前記プリアンブル信号を検出する時間の長さはＰ個の前記プリアンブル信号シンボルの長さ以上であり、Ｐは正整数であり、又は端末デバイスがプリアンブル信号を検出する時間の長さはＱ個の前記プリアンブル信号シンボルの情報セクション部の長さ以上であり、Ｑは２以上の正整数である。
【０２３０】
理解すべきことは、プリアンブル信号を検出する時間の長さが可変である場合、プリアンブル信号の最短検出長さを規定する必要があり、それにより端末デバイスはプリアンブル信号を正しく受信することができる。
【０２３１】
好ましくは、プリアンブル信号を検出する終了時刻は１個のダウンリンク信号シンボルの終了時刻であってもよい。
【０２３２】
好ましくは、プリアンブル信号を検出する時間の長さはＲ個のダウンリンク信号シンボルの長さ以下であり、Ｒは正整数であり、そして、プリアンブル信号を検出する時間の長さがＰ個のダウンリンク信号シンボルの長さ以上である場合、ＲはＰより大きい。
【０２３３】
好ましくは、Ｐ値、Ｑ値又はＲ値は事前に定義されてもよく、又はネットワークデバイスがＲＲＣシグナリング、物理層シグナリング及びＭＡＣ層シグナリングのうち１つにより端末デバイスに送信されてもよい。
【０２３４】
好ましくは、プリアンブル信号がＮ種のシーケンスを含む場合、端末デバイスがプリアンブル信号を検出する時間の長さは２＊Ｎ個の情報セクション部の長さ以上であり、又は端末デバイスがプリアンブル信号を検出する時間の長さはＮ個のプリアンブル信号シンボル（ＣＰを有するプリアンブル信号シンボル）の長さ以上であり、又は端末デバイスがプリアンブル信号を検出する時間の長さはＮ個のダウンリンク信号シンボルの長さ以上であり、Ｎは正整数である。
【０２３５】
好ましくは、プリアンブル信号を検出する時間の長さは固定長さであってもよく、プリアンブル信号がＮ種のシーケンスを含む場合、プリアンブル信号を検出する時間の長さはＳ＊Ｎ個のプリアンブル信号シンボルであってもよく、又はプリアンブル信号を検出する時間の長さはＳ＊Ｎ個のダウンリンク信号シンボルであってもよく、又はプリアンブル信号を検出する時間の長さは（Ｓ＋１）＊Ｎ個の情報セクションであってもよく、Ｓは正整数である。
【０２３６】
好ましくは、端末デバイスはプリアンブル信号の検出に成功した後、第２時刻から検出に成功したチャネルにおいてダウンリンク信号を受信する。
【０２３７】
一部の場合において、端末デバイスはプリアンブル信号の検出に成功した後、続いてダウンリンク信号を受信することができる。この時、第２時刻は即ちプリアンブル信号の検出に成功した時刻である。
【０２３８】
別の場合において、端末デバイスはプリアンブル信号の検出に成功した後、続いてダウンリンク信号を受信せず、ネットワークデバイスにプリアンブル信号の応答信号を送信する。端末デバイスはプリアンブル信号の応答信号を送信した後、ダウンリンク信号を受信する。端末デバイスがネットワークデバイスにプリアンブル信号の応答信号を送信していない場合、端末デバイスはダウンリンク信号を受信しなくてもよい。
【０２３９】
上記はプリアンブル信号の時間領域特徴を説明しており、以下、プリアンブル信号の周波数領域特徴を説明する。
【０２４０】
プリアンブル信号のシーケンスの長さがＭである場合、プリアンブル信号のシーケンスは周波数領域において第１帯域幅のＭ個のサブキャリアにマッピングすることができ、Ｍは正整数である。
【０２４１】
好ましくは、Ｍ値は事前に設定される。
【０２４２】
好ましくは、第１帯域幅はネットワークデバイスが端末デバイスに設定したダウンリンク信号の伝送に用いられる帯域幅であり、又は、第１帯域幅はネットワークデバイスが端末デバイスに設定しアクティブ化したダウンリンク信号の伝送に用いられる帯域幅である。
【０２４３】
好ましくは、第１帯域幅の大きさはサブバンドチャネル検出帯域幅の整数倍であってもよく、例えば、サブバンドチャネル検出帯域幅は２０ＭＨｚであり、第１帯域幅の大きさは２０ＭＨｚ、４０ＭＨｚ、６０ＭＨｚ、８０ＭＨｚ等であってもよい。ただし、サブバンドチャネルの検出帯域幅はチャネル検出に用いられる単位帯域幅である。プリアンブル信号は大きさが第１帯域幅である各帯域幅において伝送することができ、即ちアンライセンスバンドの周波数領域は第１帯域幅の大きさに基づいて複数の帯域幅に分割される場合、プリアンブル信号は各分割後の帯域幅において伝送される。
【０２４４】
本願の実施例はプリアンブル信号のシーケンスが第１帯域幅のＭ個のサブキャリアにマッピングされるマッピング方法に対して具体的に限定しない。例として、プリアンブル信号のシーケンス要素は周波数領域において第１帯域幅のＭ個の連続的なサブキャリアにマッピングされる。端末デバイスは該Ｍ個の連続的なサブキャリアにおいてプリアンブル信号を受信する。別の例として、プリアンブル信号のシーケンス要素は周波数領域において第１帯域幅のＭ個の離散したサブキャリアにマッピングされる。
【０２４５】
好ましくは、該プリアンブル信号のシーケンスの周波数領域においてマッピングされる開始位置は、事前に設定され、又はネットワークデバイスがシグナリングにより端末デバイスに指示される。
【０２４６】
理解すべきことは、プリアンブル信号が複数のシーケンスを含む場合、該複数のシーケンスはそれぞれ第１帯域幅の異なるシンボルにマッピングされてもよい。
【０２４７】
好ましくは、Ｍ個のサブキャリアは第１帯域幅の全帯域幅、中央帯域幅又は事前に定義された帯域幅を占有してもよい。
【０２４８】
好ましくは、端末デバイスは高層シグナリングに基づいてプリアンブル信号が周波数領域にサブキャリアを占有する数及び位置を決定し、その後に対応する位置においてプリアンブル信号を受信することができる。
【０２４９】
好ましくは、プリアンブル信号のシーケンスは周波数領域において第１帯域幅のＭ個の離散したサブキャリアにマッピングすることができる。好ましくは、該Ｍ個の離散したサブキャリアの周波数領域におけるマッピング位置は事前に設定され、又は、該Ｍ個の離散したサブキャリアの任意の隣接する２個のサブキャリアの間の距離は等しく、且つ該距離の大きさは事前に設定される。好ましくは、第１帯域幅において前記プリアンブル信号のシーケンスがマッピングされたＭ個のサブキャリアを除いたその他のサブキャリアには信号がマッピングされない。このようなマッピング方法により、プリアンブル信号の時間領域における表現形態は情報セクションの重複であり、プリアンブル信号のサブキャリア間隔に対応するシンボルの長さよりも短いプリアンブル信号の情報セクションを生成することができる。例えば、プリアンブル信号のサブキャリア間隔が１５ｋＨｚ、対応するシンボル長さが１／１５ｋＨｚ＝６６．７マイクロ秒、プリアンブル信号のシーケンス要素がサブキャリアにマッピングされた時に隣接する２個のサブキャリアの間の距離がｋ（例えば、ｋ＝４）個のサブキャリアである場合、プリアンブル信号の時間領域における表現形態は６６．７マイクロ秒内にｋ個（即ち４個）の重複したプリアンブル信号の情報セクションを含むことである。プリアンブル信号の情報セクション部の長さが短いため、端末デバイスの処理の複雑度を低減させることができる。
【０２５０】
好ましくは、プリアンブル信号のシーケンスは周波数領域において第１帯域幅のＭ個の連続的なサブキャリアにマッピングすることができる。好ましくは、第１帯域幅において前記プリアンブル信号のシーケンスがマッピングされたＭ個のサブキャリアを除いたその他のサブキャリアには信号がマッピングされない。このようなマッピング方法により、端末デバイスはプリアンブル信号を検出する場合、周波数領域に変換してから処理する必要がなく、時間領域において直接処理することができ、それにより端末デバイスの処理の複雑度を低減させることができる。また、プリアンブル信号の伝送のために大きいサブキャリア間隔を選択する（例えば、プリアンブル信号のサブキャリア間隔がダウンリンク信号のサブキャリア間隔より大きい）場合も、短いプリアンブル信号の情報セクション部を取得することができ、それにより端末デバイスの処理の複雑度をさらに低減させることができる。
【０２５１】
以下、図８〜図９に合わせて、プリアンブル信号のシーケンスのマッピング方法を説明する。
【０２５２】
図８はプリアンブル信号が１つのシーケンスを含む場合、プリアンブル信号の周波数領域におけるマッピング方法を示す図である。
【０２５３】
例として、プリアンブル信号のサブキャリア間隔はダウンリンク信号のサブキャリア間隔に等しく、プリアンブル信号のシーケンスは周波数領域において第１帯域幅のＭ個の離散したサブキャリアにマッピングされる。例えば、プリアンブル信号とダウンリンク信号はいずれも第１帯域幅において伝送され、プリアンブル信号はシンボル＃ｎにおいて伝送され、ダウンリンク信号はシンボル＃（ｎ＋１）において伝送される。プリアンブル信号のシーケンス長さは８であり、該プリアンブル信号は第１帯域幅の８個のサブキャリアにマッピングされ、該８個のサブキャリアは離散したサブキャリアであってもよく、図８のタイプ１に示すように、該８個のサブキャリアの各隣接する２個のサブキャリアの間に４個のサブキャリアの距離を間隔する。端末デバイスは該８個の離散したサブキャリアにおいてプリアンブル信号を受信することができる。
【０２５４】
好ましくは、該８個のサブキャリアは第１帯域幅の中央帯域幅に分布されてもよく、第１帯域幅の全帯域幅に分布されてもよく、又は事前に定義されたキャリアに分布されてもよい。ただし、第１帯域幅に分布された全帯域幅は該８個のサブキャリアが均一又は等間隔に第１帯域幅に分布されていることを表示してもよい。端末デバイスは第１帯域幅の中央帯域幅、又は全帯域幅、又は事前に定義されたキャリアにおいてプリアンブル信号を受信することができる。
【０２５５】
別の例として、プリアンブル信号のサブキャリア間隔はダウンリンク信号のサブキャリア間隔より大きく、プリアンブル信号のシーケンスは周波数領域において第１帯域幅のＭ個の連続的なサブキャリアにマッピングされる。例えば、プリアンブル信号とダウンリンク信号はいずれも第１帯域幅において伝送され、プリアンブル信号はシンボル＃ｎにおいて伝送され、ダウンリンク信号はシンボル＃（ｎ＋１）において伝送される。プリアンブル信号のサブキャリア間隔の大きさはダウンリンク信号のサブキャリア間隔の大きさの４倍に等しく、シンボル＃ｎの長さは４個のプリアンブル信号シンボルの長さに等しく、プリアンブル信号は各シンボルにおいて伝送される。
【０２５６】
プリアンブル信号のシーケンス長さは８であり、該プリアンブル信号は第１帯域幅の８個のサブキャリアにマッピングすることができ、該８個のサブキャリアは連続的なサブキャリアであってもよい。図８のタイプ２に示すように、４個のプリアンブル信号シンボルにおけるそれぞれのプリアンブル信号シンボルの８個のサブキャリアにはいずれもプリアンブル信号のシーケンス要素がマッピングされる。
【０２５７】
好ましくは、該８個のサブキャリアは第１帯域幅の中央帯域幅に分布されてもよく、第１帯域幅の全帯域幅に分布されてもよく、又は事前に定義されたキャリアに分布されてもよい。ただし、第１帯域幅に分布された全帯域幅は該８個のサブキャリアが均一又は等間隔に第１帯域幅に分布されていることを表示してもよい。
【０２５８】
例として、プリアンブル信号のサブキャリア間隔はダウンリンク信号のサブキャリア間隔に等しく、プリアンブル信号のシーケンスは周波数領域において第１帯域幅のＭ個の連続的なサブキャリアにマッピングされる。例えば、プリアンブル信号のサブキャリア間隔とダウンリンク信号のサブキャリア間隔がいずれも６０ｋＨｚである場合、プリアンブル信号のシーケンスマッピングは連続的なサブキャリアマッピングの方式を用いる場合でも短いプリアンブル信号シンボルの情報セクション部を取得することができる。
【０２５９】
例として、プリアンブル信号のサブキャリア間隔がダウンリンク信号のサブキャリア間隔より小さく、プリアンブル信号のシーケンスは周波数領域において第１帯域幅のＭ個の離散したサブキャリアにマッピングされる。この場合、短いプリアンブル信号シンボルの情報セクション部を取得する目的を達成するために、プリアンブル信号のシーケンス要素が周波数領域においてマッピングされる時の間隔を大きくしてもよい。例えば、プリアンブル信号のサブキャリア間隔が３０ｋＨｚであり、ダウンリンク信号のサブキャリア間隔が６０ｋＨｚである場合、プリアンブル信号のシーケンスが周波数領域において第１帯域幅の離散したサブキャリアにマッピングされる時に隣接する２個のマッピングされたサブキャリアの間の距離はダウンリンク信号のサブキャリア間隔以上であってもよく（例えば、距離は２個の３０ｋＨｚのサブキャリアである）、それにより短いプリアンブル信号シンボルの情報セクション部を取得することができる。
【０２６０】
理解すべきことは、プリアンブル信号が複数のシーケンスを含む時、各シーケンスの周波数領域におけるマッピング方法はいずれも上記周波数領域マッピング方法のうち１つを用いることができる。複数のシーケンスの周波数領域におけるマッピング方法は同じであってもよく、異なってもよい。本願はこれらに対して限定しない。
【０２６１】
図９はプリアンブル信号が２つのシーケンスを含む場合、プリアンブル信号の周波数領域におけるマッピング方法を示す図である。
【０２６２】
例として、プリアンブル信号は第１シーケンスと第２シーケンスを含み、第１シーケンスはシンボル＃ｎにおいて伝送され、第２シーケンスはシンボル＃（ｎ＋１）において伝送され、ダウンリンク信号はシンボル＃（ｎ＋２）において伝送される。
【０２６３】
第１シーケンスのシンボル＃ｎの第１帯域幅におけるマッピング方法及び第２シーケンスのシンボル＃（ｎ＋１）の第１帯域幅におけるマッピング方法と、図８に示すタイプ１のマッピング方法とは、タイプが同じであり、簡素化するために、ここで詳しい説明を省略する。
【０２６４】
好ましくは、第１シーケンスと第２シーケンスは同じサブキャリアにマッピングされてもよく、異なるサブキャリアにマッピングされてもよい。図９のタイプ１に示すように、第１シーケンスと第２シーケンスが異なるサブキャリアにマッピングされる場合であり、第１シーケンスと第２シーケンスがマッピングされたサブキャリアは２個のサブキャリアずれてもよい。端末デバイスは第１シーケンスのマッピングされるキャリアにおいてプリアンブル信号の第１シーケンスを受信し、第２シーケンスのマッピングされるキャリアにおいてプリアンブル信号の第２シーケンスを受信することができる。
【０２６５】
タイプ２において、プリアンブル信号のサブキャリア間隔がダウンリンク信号のサブキャリア間隔より大きいため、第１シーケンスと第２シーケンスはいずれもシンボル＃ｎに伝送することができる。シンボル＃ｎは４個のプリアンブル信号シンボルを含み、第１シーケンスと第２シーケンスはシンボルｎにおいて交互に伝送されることができ、即ち４個のプリアンブル信号シンボルは順に第１シーケンス、第２シーケンス、第１シーケンス、第２シーケンスを伝送し、又は４個のプリアンブル信号シンボルは順に第２シーケンス、第１シーケンス、第２シーケンス、第１シーケンスを伝送する。
【０２６６】
好ましくは、端末デバイスは４個のプリアンブル信号シンボルにおける１番目、２番目、３番目のプリアンブル信号シンボルの開始時刻からプリアンブル信号を検出し、いずれもプリアンブル信号を成功に検出することができる。
【０２６７】
又は、第１シーケンスと第２シーケンスは順に伝送することができ、第１シーケンスと第２シーケンスの伝送順位は、１つのシーケンスの伝送完了後に別のシーケンスを伝送する。４個のプリアンブル信号シンボルは順に第１シーケンス、第１シーケンス、第２シーケンス、第２シーケンスを伝送することができ、又は４個のプリアンブル信号シンボルは順に第２シーケンス、第２シーケンス、第１シーケンス、第１シーケンスを伝送することができる。
【０２６８】
好ましくは、端末デバイスは４個のプリアンブル信号シンボル内の最初のプリアンブル信号シンボルの開始時刻からプリアンブル信号を検出し、プリアンブル信号を成功に検出することができる。
【０２６９】
端末デバイスはシンボル＃ｎの２番目のプリアンブル信号シンボルの開始時刻からダウンリンクプリアンブル信号を検出すると仮定し、第１シーケンスと第２シーケンスの交互伝送の方法を用いてシンボル＃ｎにおいて完全な第１シーケンスと第２シーケンスを成功に検出することができ、この時、端末デバイスはシンボル＃（ｎ＋１）においてダウンリンク信号を直接受信することができ、プリアンブル信号の検出に成功する確率を向上させ、通信システムの伝送効率の向上に役立つ。
【０２７０】
説明すべきことは、図９は第１シーケンスと第２シーケンスの長さが等しい場合を示しているが、本願の実施例はこれらに限らず、第１シーケンスと第２シーケンスの長さは異なってもよい。
【０２７１】
図８及び図９において、タイプ１に示す８個の離散したサブキャリアのマッピング方法はタイプ２に示す８個の連続的なサブキャリアのマッピング効果を達成することができる。タイプ２のプリアンブル信号シンボルに対応するサブキャリアの大きさは４個のタイプ１のプリアンブル信号シンボルに対応するサブキャリアの大きさに等しく、タイプ１のプリアンブル信号シンボルの長さは４個のタイプ２のプリアンブル信号シンボルの長さに等しい。同じプリアンブル信号がタイプ２の４個のプリアンブル信号シンボルのＭ個の連続的なサブキャリアにマッピングされる場合、プリアンブル信号がタイプ１の１つのプリアンブル信号シンボルのＭ個の離散したサブキャリアにマッピングされて伝送する効果を達成することができる。
【０２７２】
また、図８及び図９は例示的にプリアンブル信号がマッピングされる第１帯域幅の大きさを示しており、実際に第１帯域幅に含まれたサブキャリアの数は実際の状況に応じて決定される。
【０２７３】
好ましくは、プリアンブル信号の某シーケンスが複数の候補シーケンスを含む場合、該複数の候補シーケンスの間は互いに直交してもよい。
【０２７４】
好ましくは、プリアンブル信号のシーケンスはＰＳＳのシーケンス、及び／又は、ＳＳＳのシーケンスであってもよく、このようにＰＳＳシーケンス及び／又はＳＳＳシーケンスを再利用する目的を達成することができる。
【０２７５】
好ましくは、プリアンブル信号のシーケンスはＺＣシーケンスのような、その他の新しく導入されるシーケンスであってもよい。該ＺＣシーケンスはコミュニティＩＤスクランブリングを用いてスクランブルすることができ、端末デバイスはプリアンブル信号を受信した後に該コミュニティのネットワークデバイスが該アンライセンスバンドのチャネルの使用権を取得することを決定できる。
【０２７６】
好ましくは、プリアンブル信号のシーケンスはコミュニティパブリック、グループパブリック又は端末デバイス固有のものである。
【０２７７】
好ましくは、プリアンブル信号において伝送される信号は元の情報ビットをエンコードした後に取得するデータビットを含み、ただし、該データビットを変調した後の周波数領域におけるマッピング方法は上記シーケンスの周波数領域におけるマッピング方法の１つである。
【０２７８】
好ましくは、プリアンブル信号は、コミュニティＩＤ、ＰＬＭＮ  ＩＤ、ＲＴＳ標識、ＣＴＳ標識、時間領域における前記ダウンリンク信号の位置とチャネル占有時間のうち少なくとも１つの情報を携帯する。
【０２７９】
好ましくは、端末デバイスはアンライセンスバンドにおいてプリアンブル信号を検出した後、事前に定義された規則に基づいてダウンリンク信号（例えば、ＰＤＣＣＨ又はＰＤＳＣＨ）を受信する。
【０２８０】
好ましくは、ダウンリンク信号の時間領域における位置は端末デバイスがプリアンブル信号を受信した後、プリアンブル信号の携帯する情報に基づいて対応する位置にダウンリンク信号（例えば、ＰＤＣＣＨ又はＰＤＳＣＨ）を受信することを表示することができる。
【０２８１】
好ましくは、プリアンブル信号のアンテナポートは全方向アンテナポートであってもよく、指向性アンテナポートであってもよい。
【０２８２】
好ましくは、前記プリアンブル信号の受信に用いられるアンテナポートはＳＳＢの受信に用いられるアンテナポートと同じである。
【０２８３】
好ましくは、プリアンブル信号と時間領域においてプリアンブル信号の後に位置するＳＳＢ又はダウンリンク信号とはＱＣＬである。即ち、プリアンブル信号に対応する受信ビーム及び／又はポートに基づいてＳＳＢ又はダウンリンク信号に対応する受信ビーム及び／又はポートを推定することができ、又は、ＳＳＢ又はダウンリンク信号に対応する送信又は受信ビーム及び／又はポートに基づいてプリアンブル信号に対応する送信又は受信ビーム及び／又はポートを推定することができる。
【０２８４】
端末デバイスは、ＲＲＣ構成、ＰＢＣＨ、ＲＭＳＩのうち１つの方法によりプリアンブル信号の伝送パラメータを取得することができる。
【０２８５】
好ましくは、プリアンブル信号の伝送パラメータの指示方法はＰＲＡＣＨの伝送パラメータの指示方法と同じである。
【０２８６】
好ましくは、ＬＡＡの場合、プリアンブル信号の伝送パラメータはライセンスバンドのキャリアにより端末デバイスに指示することができる。
【０２８７】
ただし、プリアンブル信号の伝送パラメータは上記説明したプリアンブル信号の時間領域特徴、周波数領域特徴、シーケンス特徴、アンテナポート及び構成等のパラメータを含むことができるが、これらに限定されない。
【０２８８】
好ましくは、本願の実施例は端末デバイスのＡＧＣ調整に役立ち、端末デバイスがプリアンブル信号を受信する受信電力とダウンリンク信号を受信する受信電力との間に一定の関係がある。具体的には、端末デバイスはネットワークデバイスから送信されたプリアンブル信号を受信した後、プリアンブル信号の受信に用いられる受信電力に基づいて、自己適応的にダウンリンク信号の受信電力を調整することができる。
【０２８９】
そのため、本願の実施例は現在のキャリアがダウンリンク信号の伝送に適用できることを決定するプリアンブル信号を送信することによって、端末のダウンリンク信号に対するブラインド検出の複雑度を低減させ、端末デバイスを簡単化し、消費電力を削減することができる。
【０２９０】
上記は本願の実施例による無線通信の方法を詳しく説明しており、以下、図１１〜図１５に合わせて、本願の実施例による装置を説明する。方法の実施例に説明される技術的特徴は以下の装置の実施例に適用する。
【０２９１】
図１１は本願の実施例にかかるネットワークデバイス１１００の概略ブロック図である。図１１に示すように、該ネットワークデバイスは処理ユニット１１１０と通信ユニット１１２０を含む。
【０２９２】
処理ユニット１１１０は、アンライセンスバンドのキャリアに対してチャネル検出を行うのに用いられる。
【０２９３】
通信ユニット１１２０は、前記チャネル検出に成功した場合、第１時刻から前記キャリアがダウンリンク信号の伝送に適用できることを決定するプリアンブル信号を前記キャリアにおいて送信するのに用いられる。
【０２９４】
好ましくは、前記第１時刻はプリアンブル信号シンボルの形式及び／又は前記チャネル検出に成功した時刻に基づいて決定される時刻である。
【０２９５】
好ましくは、前記第１時刻は前記プリアンブル信号シンボルにおける候補時刻を含む。
【０２９６】
好ましくは、前記第１時刻は前記プリアンブル信号シンボルの開始時刻を含む。
【０２９７】
好ましくは、前記第１時刻は前記チャネル検出に成功した後の最初の前記プリアンブル信号シンボルの開始時刻を含む。
【０２９８】
好ましくは、前記第１時刻は前記プリアンブル信号シンボルにおけるＣＰ部の開始時刻又は情報セクション部の開始時刻を含む。
【０２９９】
好ましくは、前記第１時刻は前記チャネル検出に成功した後の最初の前記ＣＰ部の開始時刻又は最初の前記情報セクション部の開始時刻を含む。
【０３００】
好ましくは、前記プリアンブル信号シンボルは１個の第１ＣＰ部と１個の情報セクション部を含む。
【０３０１】
好ましくは、前記第１時刻は前記プリアンブル信号シンボルにおける前記第１ＣＰ部の開始時刻を含む。
【０３０２】
好ましくは、前記プリアンブル信号シンボルは１個の第２ＣＰ部とＭ個の情報セクション部を含み、ただし、Ｍは２以上の正整数である。
【０３０３】
好ましくは、前記第１時刻は前記プリアンブル信号シンボルにおける前記第２ＣＰ部の開始時刻又は前記Ｍ個の情報セクション部における１つの情報セクション部の開始時刻を含む。
【０３０４】
好ましくは、前記通信ユニット１１２０は、さらに、前記第１時刻がチャネル検出に成功した時刻でない場合、前記チャネル検出に成功した時刻から前記第１時刻までの間に、プレースホルダ信号を前記キャリアにおいて送信するのに用いられる。
【０３０５】
好ましくは、前記通信ユニット１１２０は、さらに、前記第１時刻がチャネル検出に成功した時刻でない場合、前記チャネル検出に成功した時刻から前記第１時刻までの間に、前記プリアンブル信号のＣＰ部を前記キャリアにおいて送信するのに用いられる。
【０３０６】
好ましくは、前記第１時刻は前記ダウンリンク信号シンボルの開始時刻を含む。
【０３０７】
好ましくは、前記通信ユニット１１２０は、さらに、前記プリアンブル信号の送信が完了した後、第２時刻から前記ダウンリンク信号を前記キャリアにおいて送信するのに用いられる。
【０３０８】
好ましくは、前記第２時刻はダウンリンク信号シンボルの開始時刻である。
【０３０９】
好ましくは、前記プリアンブル信号シンボルは第１サブキャリア間隔に対応し、ただし、前記第１サブキャリア間隔は前記ダウンリンク信号に対応するサブキャリア間隔であり、又は前記第１サブキャリア間隔は、無線リソース制御ＲＲＣシグナリング、物理層シグナリング、媒体アクセス制御ＭＡＣ層シグナリングのうち少なくとも１つにより指示されるサブキャリア間隔であり、又は前記第１サブキャリア間隔は事前に定義されたサブキャリア間隔である。
【０３１０】
好ましくは、前記プリアンブル信号を送信する時間の長さはＰ個の前記プリアンブル信号シンボルの長さ以上であり、Ｐは正整数であり、又は前記プリアンブル信号を送信する時間の長さはＱ個の前記プリアンブル信号シンボルの情報セクション部の長さ以上であり、Ｑは２以上の正整数である。
【０３１１】
好ましくは、前記プリアンブル信号はＮ種のシーケンスを含み、Ｎは正整数である。
【０３１２】
好ましくは、前記プリアンブル信号のサブキャリア間隔は前記ダウンリンク信号のサブキャリア間隔以上であり、又は前記プリアンブル信号シンボルの長さは前記ダウンリンク信号シンボルの長さ以下である。
【０３１３】
好ましくは、前記プリアンブル信号のシーケンスは周波数領域において第１帯域幅のＭ個の連続的なサブキャリアにマッピングされ、ただし、前記プリアンブル信号のシーケンス長さはＭであり、Ｍは正整数である。
【０３１４】
好ましくは、前記プリアンブル信号のサブキャリア間隔は前記ダウンリンク信号のサブキャリア間隔より大きい。
【０３１５】
好ましくは、前記プリアンブル信号のシーケンスは周波数領域において第１帯域幅のＭ個の離散したサブキャリアにマッピングされ、ただし、前記Ｍ個の離散したサブキャリア内の任意の隣接する２つのサブキャリアの間の距離は等しく、前記プリアンブル信号のシーケンス長さはＭであり、Ｍは正整数である。
【０３１６】
好ましくは、前記プリアンブル信号のサブキャリア間隔は前記ダウンリンク信号のサブキャリア間隔に等しい。
【０３１７】
好ましくは、前記Ｍ個のサブキャリアは前記第１帯域幅の全帯域幅、中央帯域幅又は事前に定義された帯域幅を占有する。
【０３１８】
好ましくは、前記第１帯域幅において前記プリアンブル信号のシーケンスがマッピングされるサブキャリア以外のその他のサブキャリアにおいて信号がマッピングされない。
【０３１９】
好ましくは、前記プリアンブル信号が少なくとも２つのシーケンスを含む場合、前記少なくとも２つのシーケンスは時間領域において交互に伝送される。
【０３２０】
好ましくは、前記プリアンブル信号が少なくとも２つのシーケンスを含む場合、前記少なくとも２つのシーケンスの時間領域における伝送方式は１つのシーケンスの伝送が完了した後に次のシーケンスを伝送することである。
【０３２１】
好ましくは、前記プリアンブル信号のシーケンスは、ＰＳＳ、ＳＳＳ及びＺａｄｏｆｆ−Ｃｈｕシーケンスのうち少なくとも１つのシーケンスである。
【０３２２】
好ましくは、前記プリアンブル信号のシーケンスはコミュニティパブリック、グループパブリック又は端末デバイス固有のものである。
【０３２３】
好ましくは、前記プリアンブル信号は、コミュニティ標識ＩＤ、公衆陸上モバイルネットワークＰＬＭＮ  ＩＤ、送信リクエストＲＴＳ標識、送信クリアＣＴＳ標識、時間領域における前記ダウンリンク信号の位置とチャネル占有時間のうち少なくとも１つの情報を携帯する。
【０３２４】
好ましくは、前記チャネル検出が無指向性チャネル検出である場合、前記プリアンブル信号の送信に用いられるアンテナポートは全方向アンテナポート又は指向性アンテナポートであり、又は前記チャネル検出が指向性チャネル検出である場合、前記プリアンブル信号の送信に用いられるアンテナポートは前記指向性チャネル検出に対応する方向における指向性アンテナポートである。
【０３２５】
好ましくは、前記プリアンブル信号の送信に用いられるアンテナポートは同期信号ブロックＳＳＢの送信に用いられるアンテナポートと同じである。
【０３２６】
好ましくは、前記プリアンブル信号と時間領域において前記プリアンブル信号の後に位置するＳＳＢ又はＰＤＣＣＨとはＱＣＬである。
【０３２７】
好ましくは、前記プリアンブル信号の伝送パラメータは、ＲＲＣ、ＰＢＣＨ及びＲＭＳＩのうち１つにより端末デバイスに指示する。
【０３２８】
好ましくは、前記プリアンブル信号の伝送パラメータの指示方法はＰＲＡＣＨの伝送パラメータの指示方法と同じである。
【０３２９】
図１２は本願の実施例により提供される端末デバイスの概略ブロック図である。図１２に示すように、該端末デバイス１２００は処理ユニット１２１０と通信ユニット１２２０を含む。
【０３３０】
処理ユニット１２１０は、アンライセンスバンドのキャリアにおいてプリアンブル信号を検出するのに用いられる。
【０３３１】
通信ユニット１２２０は、プリアンブル信号の検出に成功した場合、前記キャリアにおいてダウンリンク信号を受信するのに用いられる。
【０３３２】
好ましくは、前記通信ユニット１２２０は、具体的に、第１時刻から前記アンライセンスバンドのキャリアにおいてプリアンブル信号を検出するのに用いられる。
【０３３３】
好ましくは、前記第１時刻はプリアンブル信号シンボルの形式により決定される時刻である。
【０３３４】
好ましくは、前記第１時刻は前記プリアンブル信号シンボルにおける候補時刻を含む。
【０３３５】
好ましくは、前記第１時刻は前記プリアンブル信号シンボルの開始時刻を含む。
【０３３６】
好ましくは、前記第１時刻は前記プリアンブル信号シンボルにおけるサイクリックプレフィックスＣＰ部の開始時刻又は情報セクション部の開始時刻を含む。
【０３３７】
好ましくは、前記プリアンブル信号シンボルは１個の第１ＣＰ部と１個の情報セクション部を含む。
【０３３８】
好ましくは、前記第１時刻は前記プリアンブル信号シンボルにおける前記第１ＣＰ部の開始時刻を含む。
【０３３９】
好ましくは、前記プリアンブル信号シンボルは１個の第２ＣＰ部とＭ個の情報セクション部を含み、ただし、Ｍは２以上の正整数である。
【０３４０】
好ましくは、前記第１時刻は前記プリアンブル信号シンボルにける前記第２ＣＰ部の開始時刻又は前記Ｍ個の情報セクション部における１つの情報セクション部の開始時刻を含む。
【０３４１】
好ましくは、前記第１時刻は前記ダウンリンク信号シンボルの開始時刻を含む。
【０３４２】
好ましくは、前記処理ユニット１２１０は、具体的に、前記アンライセンスバンドのキャリアにおいてスライディングウィンドウ検出の方法によりプリアンブル信号を検出するのに用いられる。
【０３４３】
好ましくは、前記スライディングウィンドウ検出プロセスにおいて毎回処理する時間の長さはプリアンブル信号シンボルのうち１つの情報セクション部の長さである。
【０３４４】
好ましくは、前記通信ユニット１２２０は、具体的に、前記プリアンブル信号の検出に成功した後、第２時刻から前記キャリアにおいてダウンリンク信号を受信するのに用いられる。
【０３４５】
好ましくは、前記第２時刻はダウンリンク信号シンボルの開始時刻である。
【０３４６】
好ましくは、前記プリアンブル信号シンボルは第１サブキャリア間隔に対応し、前記第１サブキャリア間隔は前記ダウンリンク信号に対応するサブキャリア間隔であり、又は前記第１サブキャリア間隔は、無線リソース制御ＲＲＣシグナリング、物理層シグナリング、媒体アクセス制御ＭＡＣ層シグナリングのうち少なくとも１つにより指示されるサブキャリア間隔であり、又は前記第１サブキャリア間隔は事前に定義されたサブキャリア間隔である。
【０３４７】
好ましくは、前記プリアンブル信号を検出する時間の長さはＰ個の前記プリアンブル信号シンボルの長さ以上であり、Ｐは正整数であり、又は前記プリアンブル信号を検出する時間の長さはＱ個の前記プリアンブル信号シンボルの情報セクション部の長さ以上であり、Ｑは２以上の正整数である。
【０３４８】
好ましくは、前記プリアンブル信号はＮ種のシーケンスを含み、Ｎは正整数である。
【０３４９】
好ましくは、前記プリアンブル信号のサブキャリア間隔は前記ダウンリンク信号のサブキャリア間隔以上であり、又は前記プリアンブル信号シンボルの長さは前記ダウンリンク信号シンボルの長さ以下である。
【０３５０】
好ましくは、前記プリアンブル信号のシーケンスは周波数領域において第１帯域幅のＭ個の連続的なサブキャリアにマッピングされ、ただし、前記プリアンブル信号のシーケンス長さはＭであり、Ｍは正整数である。
【０３５１】
好ましくは、前記プリアンブル信号のサブキャリア間隔は前記ダウンリンク信号のサブキャリア間隔より大きい。
【０３５２】
好ましくは、前記プリアンブル信号のシーケンスは周波数領域において第１帯域幅のＭ個の離散したサブキャリアにマッピングされ、ただし、前記Ｍ個の離散したサブキャリア内の任意の隣接する２つのサブキャリアの間の距離は等しく、前記プリアンブル信号のシーケンス長さはＭであり、Ｍは正整数である。
【０３５３】
好ましくは、前記プリアンブル信号のサブキャリア間隔は前記ダウンリンク信号のサブキャリア間隔に等しい。
【０３５４】
好ましくは、前記Ｍ個のサブキャリアは前記第１帯域幅の全帯域幅、中央帯域幅又は事前に定義された帯域幅を占有する。
【０３５５】
好ましくは、前記第１帯域幅において前記プリアンブル信号のシーケンスがマッピングされるサブキャリア以外のその他のサブキャリアにおいて信号がマッピングされない。
【０３５６】
好ましくは、前記プリアンブル信号が少なくとも２つのシーケンスを含む場合、前記少なくとも２つのシーケンスは時間領域において交互に伝送される。
【０３５７】
好ましくは、前記プリアンブル信号が少なくとも２つのシーケンスを含む場合、前記少なくとも２つのシーケンスの時間領域における伝送方式は１つのシーケンスの伝送が完了した後に次のシーケンスを伝送することである。
【０３５８】
好ましくは、前記プリアンブル信号のシーケンスは、ＰＳＳ、ＳＳＳ及びＺａｄｏｆｆ−Ｃｈｕシーケンスのうち少なくとも１つのシーケンスである。
【０３５９】
好ましくは、前記プリアンブル信号のシーケンスはコミュニティパブリック、グループパブリック又は端末デバイス固有のものである。
【０３６０】
好ましくは、前記プリアンブル信号は、コミュニティ標識ＩＤ、公衆陸上モバイルネットワークＰＬＭＮ  ＩＤ、送信リクエストＲＴＳ標識、送信クリアＣＴＳ標識、時間領域における前記ダウンリンク信号の位置とチャネル占有時間のうち少なくとも１つの情報を携帯する。
【０３６１】
好ましくは、前記プリアンブル信号の受信に用いられるアンテナポートは全方向アンテナポート又は指向性アンテナポートである。
【０３６２】
好ましくは、前記プリアンブル信号の検出に用いられるアンテナポートは同期信号ブロックＳＳＢの受信に用いられるアンテナポートと同じである。
【０３６３】
好ましくは、前記プリアンブル信号と時間領域において前記プリアンブル信号の後に位置するＳＳＢ又はＰＤＣＣＨとはＱＣＬである。
【０３６４】
好ましくは、ＲＲＣ、ＰＢＣＨ及びＲＭＳＩのうち１つの方法によりプリアンブル信号の伝送パラメータを取得する。
【０３６５】
好ましくは、プリアンブル信号の伝送パラメータの取得方法はＰＲＡＣＨの伝送パラメータの取得方法と同じである。
【０３６６】
図１３は本願の実施例により提供される通信デバイス１３００の概略構成図である。図１３に示す通信デバイス１３００は、本願の実施例における方法を実現するために、メモリからコンピュータプログラムを呼び出して実行することができるプロセッサ１３１０を含む。
【０３６７】
好ましくは、図１３に示すように、通信デバイス１３００はさらにメモリ１３２０を含んでもよい。ただし、本願の実施例における方法を実現するために、プロセッサ１３１０はメモリ１３２０からコンピュータプログラムを呼び出して実行することができる。
【０３６８】
ただし、メモリ１３２０はプロセッサ１３１０から独立した単独なデバイスであってもよく、プロセッサ１３１０に集積されてもよい。
【０３６９】
好ましくは、図１３に示すように、通信デバイス１３００はさらにトランシーバー１３３０を含んでもよく、プロセッサ１３１０は該トランシーバー１３３０がその他のデバイスと通信することを制御することができ、具体的に、その他のデバイスに情報又はデータを送信し、又はその他のデバイスから送信された情報又はデータを受信することができる。
【０３７０】
ただし、トランシーバー１３３０はトランスミッターとレシーバーを含んでもよい。トランシーバー１３３０はさらにアンテナを含んでもよく、アンテナの数は１つ又は複数であってもよい。
【０３７１】
好ましくは、該通信デバイス１３００は、具体的に、本願の実施例にかかるネットワークデバイスであってもよく、該通信デバイス１３００は本願の実施例にかかる各方法におけるネットワークデバイスにより実現される該当のプロセスを実現させるが、簡単化するために、ここでその説明を省略する。
【０３７２】
好ましくは、該通信デバイス１３００は、具体的に、本願の実施例にかかる移動端末／端末デバイスであってもよく、該通信デバイス１３００は本願の実施例にかかる各方法における移動端末／端末デバイスにより実現される該当のプロセスを実現させるが、簡単化するために、ここでその説明を省略する。
【０３７３】
図１４は本願の実施例にかかるチップの概略構成図である。図１４に示すチップ１４００は、本願の実施例における方法を実現するために、メモリからコンピュータプログラムを呼び出して実行することができるプロセッサ１４１０を含む。
【０３７４】
好ましくは、図１４に示すように、チップ１４００はさらにメモリ１４２０を含んでもよい。ただし、本願の実施例における方法を実現するために、プロセッサ１４１０はメモリ１４２０からコンピュータプログラムを呼び出して実行することができる。
【０３７５】
ただし、メモリ１４２０はプロセッサ１４１０から独立した単独なデバイスであってもよく、プロセッサ１４１０に集積されてもよい。
【０３７６】
好ましくは、該チップ１４００はさらに入力インターフェース１４３０を含んでもよい。ただし、プロセッサ１４１０は該入力インターフェース１４３０がその他のデバイス又はチップと通信することを制御することができ、具体的に、その他のデバイス又はチップから送信された情報又はデータを取得することができる。
【０３７７】
好ましくは、該チップ１４００はさらに出力インターフェース１４４０を含んでもよい。ただし、プロセッサ１４１０は該出力インターフェース１４４０がその他のデバイス又はチップと通信することを制御することができ、具体的に、その他のデバイス又はチップに情報又はデータを出力することができる。
【０３７８】
好ましくは、該チップは本願の実施例におけるネットワークデバイスに適用されてもよく、該チップは本願の実施例にかかる各方法におけるネットワークデバイスにより実現される該当のプロセスを実現させるが、簡単化するために、ここでその説明を省略する。
【０３７９】
好ましくは、該チップは本願の実施例における移動端末／端末デバイスに適用されてもよく、該チップは本願の実施例にかかる各方法における移動端末／端末デバイスにより実現される該当のプロセスを実現させるが、簡単化するために、ここでその説明を省略する。
【０３８０】
理解すべきことは、本願の実施例に言及されたチップはシステムオンチップ、システムチップ、チップシステム又はチップ上のシステムチップ等と呼ぶこともできる。
【０３８１】
図１５は本願の実施例により提供される通信システム１５００の概略ブロック図である。図１５に示すように、該通信システム１５００は端末デバイス１５１０とネットワークデバイス１５２０を含む。
【０３８２】
ただし、該端末デバイス１５１０は上記方法における端末デバイスにより実現される対応する機能の実現に適用されてもよく、さらに、該ネットワークデバイス１５２０は上記方法におけるネットワークデバイスにより実現される該当の機能の実現に適用されてもよいが、簡単化するために、ここでその説明を省略する。
【０３８３】
理解すべきことは、本願の実施例にかかるプロセッサは集積回路チップであり、信号の処理機能を有する可能性がある。実現プロセスにおいて、上記方法の実施例の各ステップはプロセッサにおけるハードウェアの論理集積回路又はソフトウェア形態の命令により実行されてもよい。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はその他のプログラム可能なロジックデバイス、ディスクリートゲート又はトランジスタロジックデバイス、ディスクリートハードウェアコンポーネントであってもよい。本願の実施例に開示された各方法、ステップ及び論理ブロック図を実現又は実行することができる。汎用プロセッサはマイクロプロセッサであってもよく、又は該プロセッサは任意の従来のプロセッサ等であってもよい。本願の実施例に開示された方法に合わせたステップは、ハードウェアデコードプロセッサにより実行し完了し、又はデコードプロセッサにおけるハードウェア及びソフトウェアモジュールを組み合わせて実行し完了することにより直接現れる。ソフトウェアモジュールはランダムメモリ、フラッシュメモリ、読み取り専用メモリ、プログラマル読み取り専用メモリ又は電気的書き換え可能なプログラマブルメモリ、レジスタ等の当該分野の従来の記憶媒体に配置することができる。該記憶媒体はメモリに配置され、プロセッサがメモリの情報を読み取り、そのハードウェアに合わせて上記方法のステップを完了させる。
【０３８４】
理解可能なことは、本願の実施例におけるメモリは揮発性メモリ又は非揮発性メモリであってもよく、又は揮発性及び非揮発性メモリの両者を含んでもよい。ただし非揮発性メモリは読み取り専用メモリ（Ｒｅａｄ−Ｏｎｌｙ  Ｍｅｍｏｒｙ、ＲＯＭ）、プログラマル読み取り専用メモリ（Ｐｒｏｇｒａｍｍａｂｌｅ  ＲＯＭ、ＰＲＯＭ）、消去可能なプログラマル読み取り専用メモリ（Ｅｒａｓａｂｌｅ  ＰＲＯＭ、ＥＰＲＯＭ）、電気的消去可能なプログラマル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部キャッシュとして用いられる。制限的ではなく例示的な説明により、様々な形態のＲＡＭは使用可能となり、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期式ダイナミックランダムアクセスメモリ（Ｓｙｎｃｈｒｏｎｏｕｓ  ＤＲＡＭ、ＳＤＲＡＭ）、ダブルデータレート同期式ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、増強型同期式ダイナミックランダムアクセスメモリ（Ｅｎｈａｎｃｅｄ  ＳＤＲＡＭ、ＥＳＤＲＡＭ）、同期式リンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）が使用可能である。注意すべきことは、本明細書に記載のシステムと方法のメモリはこれら及び任意のその他の適切なタイプのメモリを含むがこれらに限定されないことを目的とする。
【０３８５】
理解すべきことは、上記メモリは例示的なものであるが限定的な説明ではなく、例えば、本願の実施例におけるメモリは、さらにスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期式ダイナミックランダムアクセスメモリ（ｓｙｎｃｈｒｏｎｏｕｓ  ＤＲＡＭ、ＳＤＲＡＭ）、ダブルデータレート同期式ダイナミックランダムアクセスメモリ（ｄｏｕｂｌｅ  ｄａｔａ  ｒａｔｅ  ＳＤＲＡＭ、ＤＤＲ  ＳＤＲＡＭ）、増強型同期式ダイナミックランダムアクセスメモリ（ｅｎｈａｎｃｅｄ  ＳＤＲＡＭ、ＥＳＤＲＡＭ）、同期式リンクダイナミックランダムアクセスメモリ（ｓｙｎｃｈ  ｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）等であってもよい。即ち、本願の実施例におけるメモリはこれら及び任意のその他の適切なタイプのメモリを含むがこれらに限定されないことを目的とする。
【０３８６】
本願の実施例は、さらに、コンピュータプログラムを記憶するコンピュータ読み取り可能な記憶媒体を提供する。
【０３８７】
好ましくは、該コンピュータ読み取り可能な記憶媒体は本願の実施例におけるネットワークデバイスに適用されてもよく、該コンピュータプログラムはコンピュータに本願の実施例の各方法におけるネットワークデバイスにより実現される該当のプロセスを実行させるが、簡単化するために、ここでその説明を省略する。
【０３８８】
好ましくは、該コンピュータ読み取り可能な記憶媒体は本願の実施例における移動端末／端末デバイスに適用されてもよく、該コンピュータプログラムはコンピュータに本願の実施例の各方法における移動端末／端末デバイスにより実現される該当のプロセスを実行させるが、簡単化するために、ここでその説明を省略する。
【０３８９】
本願の実施例は、さらに、コンピュータプログラム命令を含むコンピュータプログラム製品を提供する。
【０３９０】
好ましくは、該コンピュータプログラム製品は本願の実施例におけるネットワークデバイスに適用されてもよく、該コンピュータプログラム命令はコンピュータに本願の実施例の各方法におけるネットワークデバイスにより実現される該当のプロセスを実行させるが、簡単化するために、ここでその説明を省略する。
【０３９１】
好ましくは、該コンピュータプログラム製品は本願の実施例における移動端末／端末デバイスに適用されてもよく、該コンピュータプログラム命令はコンピュータに本願の実施例の各方法における移動端末／端末デバイスにより実現される該当のプロセスを実行させるが、簡単化するために、ここでその説明を省略する。
【０３９２】
本願の実施例は、さらに、コンピュータプログラムを提供する。
【０３９３】
好ましくは、該コンピュータプログラムは本願の実施例におけるネットワークデバイスに適用されてもよく、該コンピュータプログラムがコンピュータで実行される時、コンピュータに本願の実施例の各方法におけるネットワークデバイスにより実現される該当のプロセスを実行させるが、簡単化するために、ここでその説明を省略する。
【０３９４】
好ましくは、該コンピュータプログラムは本願の実施例における移動端末／端末デバイスに適用されてもよく、該コンピュータプログラムがコンピュータで実行される時、コンピュータに本願の実施例の各方法における移動端末／端末デバイスにより実現される該当のプロセスを実行させるが、簡単化するために、ここでその説明を省略する。
【０３９５】
当業者であれば、本明細書に開示された実施例に合わせて説明された各例のユニット及びアルゴリズムステップは、電子ハードウェア、又はコンピュータソフトウェアと電子ハードウェアとの組み合わせにより実現できることを意識することができる。これらの機能がハードウェアそれともソフトウェアの方式により実行されるかは、技術的解決手段の特定の応用及び設計の拘束条件に依存する。当業者であればそれぞれの特定の応用に対し異なる方法を用いて説明される機能を実現できるが、このような実現が本願の範囲を超えると考えられるべきではない。
【０３９６】
当業者であれば明らかに理解できるため、説明を便利且つ簡潔にするために、上記のシステム、装置及びユニットの具体的な動作プロセスは、前記方法の実施例における対応するプロセスを参照することができ、ここでその説明を省略する。
【０３９７】
本願により提供されるいくつかの実施例において、理解すべきことは、開示されたシステム、装置及び方法は、その他の方式により実現できる。例えば、上記装置の実施例は例示的なものに過ぎず、例えば、前記ユニットの分割は、論理機能の分割に過ぎず、実際に実現する時は別の分割方式があってもよく、例えば、複数のユニット又はアセンブリは組み合わせられてもよく、又は別のシステムに集積されてもよく、又はいくつかの特徴を無視してもよく、又は実行しなくてもよい。一方、表示又は検討されている相互結合又は直接結合又は通信接続はいくつかのインターフェース、装置又はユニットによる間接結合又は通信接続であってもよく、電気的、機械的又はその他の形態であってもよい。
【０３９８】
前述の分離部品として説明されたユニットは、物理的に分離されてもよく、そうでなくてもよい。ユニット表示の部品として物理ユニットであってもよく、そうでなくてもよい。１つの場所に位置してもよく、又は複数のネットワークユニットに分布されてもよい。実際の必要に応じてその一部又は全てのユニットを選択して本実施例の方法の目的を実現することができる。
【０３９９】
また、本願の各実施例における各機能ユニットは１つの処理ユニットに集積されてもよく、各ユニットの単独の物理的存在であってもよく、２個以上のユニットが１個のユニット内に集積されてもよい。
【０４００】
前記機能は、ソフトウェア機能ユニットの形態により実現され、独立した製品として販売又は使用される場合、コンピュータ読み取り可能な記憶媒体内に記憶されることができる。このような理解をもとに、本願の技術的解決手段は、本質的に又は従来技術に貢献する部分又は該技術的解決手段の一部はソフトウェア製品の形態により表現でき、該コンピュータソフトウェア製品は記憶媒体内に記憶され、１台のコンピュータデバイス（パーソナルコンピュータ、サーバー、又はネットワークデバイス等であってもよい）に本願の各実施例に記載の方法の全て又は一部のステップを実行させるための複数の命令を含む。前述の記憶媒体は、ＵＳＢ、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等の様々なプログラムコードを記憶できる媒体を含む。
【０４０１】
以上の説明は本願の具体的な実施形態であり、本願の保護範囲はこれに限定されず、当業者が本願に開示された技術的範囲内で容易に想到できる変更又は置換は、いずれも本願の保護範囲内に含まれるべきである。そのため、本願の保護範囲は請求項の保護範囲に準じるべきである。
【０４０２】
以上の説明は本発明の具体的な実施形態であり、本発明の保護範囲はこれに限定されず、当業者が本発明に開示された技術的範囲内で容易に想到できる変更又は置換は、いずれも本発明の保護範囲内に含まれるべきである。そのため、本発明の保護範囲は請求項の保護範囲に準じるべきである。
【図１】
2021533611.tif 000003
【図２】
2021533611.tif 000004
【図３】
2021533611.tif 000005
【図４】
2021533611.tif 000006
【図５】
2021533611.tif 000007
【図６】
2021533611.tif 000008
【図７】
2021533611.tif 000009
【図８】
2021533611.tif 000010
【図９】
2021533611.tif 000011
【図１０】
2021533611.tif 000012
【図１１】
2021533611.tif 000013
【図１２】
2021533611.tif 000014
【図１３】
2021533611.tif 000015
【図１４】
2021533611.tif 000016
【図１５】
2021533611.tif 000017
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
アンライセンスバンドのキャリアに対してチャネル検出を行うこと（Ｓ２１０）と、
前記チャネル検出に成功した場合、第１時刻から前記キャリアがダウンリンク信号の伝送に適用できることを決定するプリアンブル信号を前記キャリアにおいて送信すること（Ｓ２２０）と、
を含む、ことを特徴とするネットワークデバイスにおける無線通信方法。
【請求項２】
第１時刻からアンライセンスバンドのキャリアにおいてプリアンブル信号を検出すること（Ｓ１０１０）と、
プリアンブル信号の検出に成功した場合、前記キャリアにおいてダウンリンク信号を受信すること（Ｓ１０２０）と、
を含む、ことを特徴とするネットワークデバイスにおける無線通信方法。
【請求項３】
前記第１時刻は、前記プリアンブル信号を送信するように構成されるプリアンブル信号シンボルの形式及び前記チャネル検出に成功した時刻の少なくとも１つに基づいて決定される時刻である、
ことを特徴とする請求項１又は２に記載の方法。
【請求項４】
前記第１時刻は、プリアンブル信号シンボルにおける候補時刻及びプリアンブル信号シンボルの開始時刻の少なくとも１つを含む、
ことを特徴とする請求項１〜３のいずれか１項に記載の方法。
【請求項５】
前記プリアンブル信号シンボルは前記チャネル検出に成功した後の最初の前記プリアンブル信号シンボルである、
ことを特徴とする請求項４に記載の方法。
【請求項６】
プリアンブル信号シンボルは１個の第１ＣＰ部と１個の情報セクション部を含み、
前記第１時刻は前記プリアンブル信号シンボルにおける前記第１ＣＰ部の開始時刻を含む、
ことを特徴とする請求項１〜５のいずれか１項に記載の方法。
【請求項７】
プリアンブル信号シンボルは１個の第２ＣＰ部とＭ個の情報セクション部を含み、Ｍは２以上の正整数であり、
前記第１時刻は前記プリアンブル信号シンボル内の前記第２ＣＰ部の開始時刻又は前記Ｍ個の情報セクション部における１つの情報セクション部の開始時刻を含む、
ことを特徴とする請求項１〜５のいずれか１項に記載の方法。
【請求項８】
前記第１時刻がチャネル検出に成功した時刻でない場合、前記チャネル検出に成功した時刻から前記第１時刻までの間に、プレースホルダ信号または前記プリアンブル信号のＣＰ部を前記キャリアにおいて送信することをさらに含む、
ことを特徴とする請求項３に記載の方法。
【請求項９】
前記第１時刻は前記ダウンリンク信号を送信するように構成されるダウンリンク信号シンボルの開始時刻を含む、
ことを特徴とする請求項１〜４のいずれか１項に記載の方法。
【請求項１０】
前記プリアンブル信号の送信が完了した後、第２時刻から前記ダウンリンク信号を前記キャリアにおいて送信することをさらに含み、
前記第２時刻はダウンリンク信号シンボルの開始時刻である、
ことを特徴とする請求項９に記載の方法。
【請求項１１】
プリアンブル信号シンボルは、第１サブキャリア間隔に対応し、
前記第１サブキャリア間隔は、前記ダウンリンク信号に対応するサブキャリア間隔以上であり、又は、
プリアンブル信号シンボルの長さはダウンリンク信号シンボルの長さ以下である、又は、
前記第１サブキャリア間隔は、無線リソース制御ＲＲＣシグナリング、物理層シグナリング、媒体アクセス制御ＭＡＣ層シグナリングのうち少なくとも１つにより指示されるサブキャリア間隔であり、又は、
前記第１サブキャリア間隔は事前に定義されたサブキャリア間隔である、
ことを特徴とする請求項１〜１０のいずれか１項に記載の方法。
【請求項１２】
前記プリアンブル信号を送信する時間の長さはＰ個のプリアンブル信号シンボルの長さ以上であり、又は、
前記プリアンブル信号を送信する時間の長さはＱ個のプリアンブル信号シンボルの情報セクション部の長さ以上であり、
ただし、Ｐは正整数であり、Ｑは２以上の正整数である、
ことを特徴とする請求項１〜１１のいずれか１項に記載の方法。
【請求項１３】
前記プリアンブル信号のシーケンスは周波数領域において第１帯域幅におけるＭ個の連続的なサブキャリアにマッピングし、前記プリアンブル信号のシーケンス長さはＭであり、Ｍは正整数であり、前記プリアンブル信号のサブキャリア間隔は前記ダウンリンク信号のサブキャリア間隔より大きい、又は、
前記プリアンブル信号のシーケンスは周波数領域において第１帯域幅におけるＭ個の離散したサブキャリアにマッピングし、ただし、前記Ｍ個の離散したサブキャリア内の任意の隣接する２つのサブキャリアの間の距離は等しく、前記プリアンブル信号のシーケンス長さはＭであり、Ｍは正整数であり、前記プリアンブル信号のサブキャリア間隔は前記ダウンリンク信号のサブキャリア間隔と等しい、
前記Ｍ個のサブキャリアは前記第１帯域幅の全帯域幅、中央帯域幅又は事前に定義された帯域幅を占有する、
ことを特徴とする請求項１〜１２のいずれか１項に記載の方法。
【請求項１４】
前記第１帯域幅における前記プリアンブル信号のシーケンスがマッピングするサブキャリア以外のその他のサブキャリアにおいて信号をマッピングしない、
ことを特徴とする請求項１３に記載の方法。
【請求項１５】
前記プリアンブル信号が少なくとも２つのシーケンスを含む場合、前記少なくとも２つのシーケンスの時間領域における伝送方式は、時間領域において交互に伝送される方式、及び
１つのシーケンスの伝送が完了した後に次のシーケンスを伝送する方式の少なくとも１つである、
ことを特徴とする請求項１〜１４のいずれか１項に記載の方法。
【請求項１６】
前記アンライセンスバンドのキャリアにおいてプリアンブル信号を検出することは、
前記アンライセンスバンドのキャリアにおいてスライディングウィンドウ検出の方法を用いてプリアンブル信号を検出することを含み、
スライディングウィンドウ検出プロセスにおいて毎回処理する時間の長さはプリアンブル信号シンボル内の１つの情報セクション部の長さである、
ことを特徴とする請求項２に記載の方法。
【請求項１７】
コンピュータプログラムを記憶するメモリと、前記メモリに記憶されたコンピュータプログラムを呼び出して実行し、請求項１〜１６のいずれか１項に記載の方法を実行するプロセッサと、を含む、
ことを特徴とするデバイス。
【手続補正２】
【補正対象書類名】明細書
【補正対象項目名】０００７
【補正方法】変更
【補正の内容】
【０００７】
第２態様は、第１時刻からアンライセンスバンドのキャリアにおいてプリアンブル信号を検出することと、プリアンブル信号の検出に成功した場合、前記キャリアにおいてダウンリンク信号を受信することと、を含む無線通信方法を提供する。
【手続補正３】
【補正対象書類名】明細書
【補正対象項目名】０００８
【補正方法】変更
【補正の内容】
【０００８】
第３態様は、コンピュータプログラムを記憶するメモリと、該メモリに記憶されたコンピュータプログラムを呼び出して実行し、上記第１態様又は上記第２態様における方法を実行するプロセッサと、を含むデバイスを提供する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【国際調査報告】
2021533611.tif 000018
2021533611.tif 000019
2021533611.tif 000020
2021533611.tif 000021